(57)【要約】本出願は、データパケット伝送方法および端末を開示し、この方法は、端末によって、伝送リソース利用度しきい値を決定するステップであって、伝送リソース利用度しきい値は、プリセット時間期間においてリソースプール内の伝送リソースを使用することによって伝送対象データパケットを伝送するための最大の伝送リソース利用度を示し、伝送リソース利用度しきい値は、リソースプール内の伝送リソースのリソース利用度によって決定される、ステップと、端末によって、伝送リソース利用度しきい値に基づいてリソースプールから第１の時間期間におけるターゲット伝送リソースを、第２の時間期間において端末によって使用されるリソースプール内の伝送リソースの伝送リソース利用度が伝送リソース利用度しきい値以下になるように選択するステップであって、第２の時間期間は、第１の時間期間を含み、第１の時間期間の時間の長さは、伝送対象データパケットの伝送期間の時間の長さよりも大きい、ステップと、端末によって、ターゲット伝送リソース上で伝送対象データパケットを送信するステップとを含む。この方法によれば、輻輳制御メカニズムにおいて端末がターゲット伝送リソースを決定するオペレーション手順が簡略化される。
2020506590.tif 000002
【特許請求の範囲】
【請求項１】
端末によって、伝送リソース利用度しきい値を決定するステップであって、前記伝送リソース利用度しきい値は、プリセット時間期間においてリソースプール内の伝送リソースを使用することによって伝送対象データパケットを伝送するための最大の伝送リソース利用度を示し、前記伝送リソース利用度しきい値は、前記リソースプール内の前記伝送リソースのリソース利用度によって決定される、ステップと、
前記端末によって、前記伝送リソース利用度しきい値に基づいて前記リソースプールから第１の時間期間におけるターゲット伝送リソースを、第２の時間期間において前記端末によって使用される前記リソースプール内の前記伝送リソースの伝送リソース利用度が前記伝送リソース利用度しきい値以下になるように選択するステップであって、前記第２の時間期間は、前記第１の時間期間を含み、前記第１の時間期間の時間の長さは、前記伝送対象データパケットの伝送期間の時間の長さよりも大きい、ステップと、
前記端末によって、前記ターゲット伝送リソース上で前記伝送対象データパケットを送信するステップと
を含むデータパケット伝送方法。
【請求項２】
前記第２の時間期間は、前記第１の時間期間と同じである請求項１に記載の方法。
【請求項３】
前記第２の時間期間の終わりの瞬間は、前記第１の時間期間の終わりの瞬間と同じである請求項１または２に記載の方法。
【請求項４】
端末によって、伝送リソース利用度しきい値を決定する前記ステップは、
前記端末によって、前記第１の時間期間の始まりの瞬間において前記伝送リソース利用度しきい値を決定するステップを含む請求項１乃至３のいずれか一項に記載の方法。
【請求項５】
前記第１の時間期間の前記始まりの瞬間は、前記端末がリソース選択またはリソース再選択を実行する瞬間である請求項１乃至４のいずれか一項に記載の方法。
【請求項６】
前記第１の時間期間の前記始まりの瞬間は、前記端末のカウンタの値がゼロである瞬間であり、前記カウンタの前記値は、前記プリセット時間期間における前記伝送対象データパケットの量を示すために使用される請求項１乃至５のいずれか一項に記載の方法。
【請求項７】
前記第１の時間期間の前記始まりの瞬間は、前記伝送対象データパケットが前記端末の論理チャネルにマップされる瞬間である請求項１乃至６のいずれか一項に記載の方法。
【請求項８】
前記伝送対象データパケットは、セミパーシステント伝送ＳＰＴサービスのデータパケットであり、前記伝送対象データパケットが属する前記ＳＰＴサービスは、少なくとも１つのＳＰＴサービスを含む請求項１乃至７のいずれか一項に記載の方法。
【請求項９】
前記伝送対象データパケットが属する前記ＳＰＴサービスは、複数のＳＰＴサービスを含み、
前記端末によって、前記ターゲット伝送リソース上で前記伝送対象データパケットを送信する前記ステップは、
前記端末によって、前記複数のＳＰＴサービスのうちの少なくともいくつかのデータパケットを前記ターゲット伝送リソース上で前記複数のＳＰＴサービスの優先度の降順で送信するステップを含む請求項１乃至８のいずれか一項に記載の方法。
【請求項１０】
前記伝送対象データパケットが属する前記ＳＰＴサービスは、前記複数のＳＰＴサービスを含み、前記方法は、
前記端末によって、前記複数のＳＰＴサービスのうちで優先度しきい値よりも高い優先度を有するＳＰＴサービスを伝送するために必要とされる伝送リソースの利用度が前記伝送リソース利用度しきい値よりも高いと決定するステップと、
前記端末によって、要求情報を基地局へ送信するステップであって、前記要求情報は、前記複数のＳＰＴサービスのうちで前記優先度しきい値よりも高い優先度を有する前記ＳＰＴサービスに伝送リソースを割り当てるように前記基地局に要求するために使用される、ステップとをさらに含む請求項８または９に記載の方法。
【請求項１１】
前記方法は、
前記端末によって前記リソース利用度に基づいて、前記伝送対象データパケットを伝送するための伝送パラメータを入手するステップをさらに含み、
前記端末によって、前記ターゲット伝送リソース上で前記伝送対象データパケットを送信する前記ステップは、
前記端末によって、前記伝送パラメータを使用することによって前記ターゲット伝送リソース上で前記伝送対象データパケットを送信するステップを含む請求項１乃至１０のいずれか一項に記載の方法。
【請求項１２】
前記端末によって、前記伝送リソース利用度しきい値に基づいて前記リソースプールから第１の時間期間におけるターゲット伝送リソースを選択する前記ステップは、
前記端末によって、前記伝送リソース利用度しきい値と、前記伝送対象データパケットを伝送するための前記伝送パラメータとに基づいて前記リソースプールから前記第１の時間期間における前記ターゲット伝送リソースを選択するステップを含む請求項１１に記載の方法。
【請求項１３】
前記第１の時間期間において、前記リソース利用度は変わるが、前記端末は、前記リソースプールから伝送リソースを再選択しない請求項１乃至１２のいずれか一項に記載の方法。
【請求項１４】
端末であって、
伝送リソース利用度しきい値を決定するように構成されている決定ユニットであって、前記伝送リソース利用度しきい値は、プリセット時間期間においてリソースプール内の伝送リソースを使用することによって伝送対象データパケットを伝送するための最大の伝送リソース利用度を示し、前記伝送リソース利用度しきい値は、前記リソースプール内の前記伝送リソースのリソース利用度によって決定される、決定ユニットと、
前記決定ユニットによって決定された前記伝送リソース利用度しきい値に基づいて前記リソースプールから第１の時間期間におけるターゲット伝送リソースを、第２の時間期間において前記端末によって使用される前記リソースプール内の前記伝送リソースの伝送リソース利用度が前記伝送リソース利用度しきい値以下になるように選択するように構成されている選択ユニットであって、前記第２の時間期間は、前記第１の時間期間を含み、前記第１の時間期間の時間の長さは、前記伝送対象データパケットの伝送期間の時間の長さよりも大きい、選択ユニットと、
前記選択ユニットによって選択された前記ターゲット伝送リソース上で前記伝送対象データパケットを送信するように構成されている送信ユニットとを含む端末。
【請求項１５】
前記第２の時間期間は、前記第１の時間期間と同じである請求項１４に記載の端末。
【請求項１６】
前記第２の時間期間の終わりの瞬間は、前記第１の時間期間の終わりの瞬間と同じである請求項１４または１５に記載の端末。
【請求項１７】
前記決定ユニットは、前記第１の時間期間の始まりの瞬間において前記伝送リソース利用度しきい値を決定するように特に構成されている請求項１４乃至１６のいずれか一項に記載の端末。
【請求項１８】
前記第１の時間期間の前記始まりの瞬間は、前記端末がリソース選択またはリソース再選択を実行する瞬間である請求項１４乃至１７のいずれか一項に記載の端末。
【請求項１９】
前記第１の時間期間の前記始まりの瞬間は、前記端末のカウンタの値がゼロである瞬間であり、前記カウンタの前記値は、前記プリセット時間期間における前記伝送対象データパケットの量を示すために使用される請求項１４乃至１８のいずれか一項に記載の端末。
【請求項２０】
前記第１の時間期間の前記始まりの瞬間は、前記伝送対象データパケットが前記端末の論理チャネルにマップされる瞬間である請求項１４乃至１９のいずれか一項に記載の端末。
【請求項２１】
前記伝送対象データパケットは、セミパーシステント伝送ＳＰＴサービスのデータパケットであり、前記伝送対象データパケットが属する前記ＳＰＴサービスは、少なくとも１つのＳＰＴサービスを含む請求項１４乃至２０のいずれか一項に記載の端末。
【請求項２２】
前記伝送対象データパケットが属する前記ＳＰＴサービスは、複数のＳＰＴサービスを含み、
前記送信ユニットは、前記複数のＳＰＴサービスのうちの少なくともいくつかのデータパケットを前記ターゲット伝送リソース上で前記複数のＳＰＴサービスの優先度の降順で送信するように特に構成されている請求項１４乃至２１のいずれか一項に記載の端末。
【請求項２３】
前記伝送対象データパケットが属する前記ＳＰＴサービスは、前記複数のＳＰＴサービスを含み、
前記決定ユニットは、前記複数のＳＰＴサービスのうちで優先度しきい値よりも高い優先度を有するＳＰＴサービスを伝送するために必要とされる伝送リソースの利用度が前記伝送リソース利用度しきい値よりも高いと決定するようにさらに構成されており、
前記送信ユニットは、要求情報を基地局へ送信するようにさらに構成されており、前記要求情報は、前記複数のＳＰＴサービスのうちで前記優先度しきい値よりも高い優先度を有する前記ＳＰＴサービスに伝送リソースを割り当てるように前記基地局に要求するために使用される請求項２１または２２に記載の端末。
【請求項２４】
前記端末は、
前記リソース利用度に基づいて、前記伝送対象データパケットを伝送するための伝送パラメータを入手するように構成されている入手ユニットをさらに含み、
前記送信ユニットは、前記伝送パラメータを使用することによって前記ターゲット伝送リソース上で前記伝送対象データパケットを送信するように特に構成されている請求項１４乃至２３のいずれか一項に記載の端末。
【請求項２５】
前記選択ユニットは、前記伝送リソース利用度しきい値と、前記伝送対象データパケットを伝送するための前記伝送パラメータとに基づいて前記リソースプールから前記第１の時間期間における前記ターゲット伝送リソースを選択するように特に構成されている請求項２４に記載の端末。
【請求項２６】
前記第１の時間期間において、前記リソース利用度は変わるが、前記端末は、前記リソースプールから伝送リソースを再選択しない請求項１４乃至２５のいずれか一項に記載の端末。
【発明の詳細な説明】
【技術分野】
【０００１】
本出願は、通信分野に関連しており、より具体的には、データパケット伝送方法および端末に関連している。
【背景技術】
【０００２】
現在の通信システムにおいては、通信システムにアクセスする大量の端末がある場合には、通信システムは混雑（輻輳）することがあり、結果として、通信システムの全体的なパフォーマンスが劣化する。通信システムのパフォーマンスを確保するために、輻輳制御メカニズムが導入されている。輻輳制御メカニズムがアクティブ化されている場合には、端末は、セミパーシステント伝送（Ｓｅｍｉ−Ｐｅｒｓｉｓｔｅｎｔ  Ｔｒａｎｓｍｉｓｓｉｏｎ、ＳＰＴ：半永続的な伝送）様式でデータパケットが伝送される複数の伝送期間において、毎回、ＳＰＴサービスのデータパケットを伝送する前に、現在のリソース利用度（たとえば、チャネルビジー率（Ｃｈａｎｎｅｌ  Ｂｕｓｙ  Ｒａｔｉｏ、ＣＢＲ））を測定することを必要とする。加えて、端末はさらに、同じ伝送リソースを引き続き使用してＳＰＴサービスのデータパケットを伝送することが伝送リソース利用度しきい値（たとえば、チャネルリソース利用度（Ｃｈａｎｎｅｌ  Ｒｅｓｏｕｒｃｅ  Ｕｔｉｌｉｚａｔｉｏｎ、ＣＲ）限界）を超えるかどうかを決定するために、ＳＰＴサービスのデータパケットが伝送された伝送期間における伝送リソース利用度を決定することを必要とする。同じ伝送リソースを引き続き使用してＳＰＴサービスのデータパケットを伝送することのための伝送リソース利用度と、ＳＰＴサービスのデータパケットを伝送したことのための伝送リソース利用度との合計が、伝送リソース利用度しきい値を超える場合には、端末は、現在のＳＰＴサービスのデータパケットを破棄し、またはリソース再選択を実行し、それによって、伝送リソース利用度が伝送リソース利用度しきい値以下になるように伝送リソース利用度を低減する。
【０００３】
しかしながら、輻輳制御メカニズムにおいては、端末は、それぞれのＳＰＴサービスの伝送期間におけるリソース利用度を測定すること、それぞれの測定されたリソース利用度に基づいて伝送リソース利用度しきい値を決定すること、そしてさらに伝送リソース利用度しきい値に基づいて、データパケットを伝送するためのターゲット伝送リソースを決定することを必要とする。言い換えれば、輻輳制御メカニズムにおいては、端末がターゲット伝送リソースを決定するオペレーション手順が比較的複雑である。
【発明の概要】
【発明が解決しようとする課題】
【０００４】
本出願は、輻輳制御メカニズムにおいて端末がターゲット伝送リソースを決定するオペレーション手順を簡略化する、データパケット伝送方法および端末を提供する。
【課題を解決するための手段】
【０００５】
第１の態様によれば、本出願は、端末によって、伝送リソース利用度しきい値を決定するステップであって、伝送リソース利用度しきい値は、プリセット時間期間においてリソースプール内の伝送リソースを使用することによって伝送対象データパケットを伝送するための最大の伝送リソース利用度を示し、伝送リソース利用度しきい値は、リソースプール内の伝送リソースのリソース利用度によって決定される、ステップと、端末によって、伝送リソース利用度しきい値に基づいてリソースプールから第１の時間期間におけるターゲット伝送リソースを、第２の時間期間において端末によって使用されるリソースプール内の伝送リソースの伝送リソース利用度が伝送リソース利用度しきい値以下になるように選択するステップであって、第２の時間期間は、第１の時間期間を含み、第１の時間期間の時間の長さは、伝送対象データパケットの伝送期間の時間の長さよりも大きい、ステップと、端末によって、ターゲット伝送リソース上で伝送対象データパケットを送信するステップとを含むデータパケット伝送方法を提供する。
【０００６】
本出願のこの実施形態においては、端末は、第１の時間期間において伝送リソース利用度しきい値を使用することによってターゲット伝送リソースを選択し得る。具体的には、端末は、期間としてデータパケットの伝送期間を使用してリソース利用度を定期的に測定することを必要としなくてよく、それによって、端末がデータパケットのそれぞれの伝送期間におけるリソース利用度を測定することを必要とするという従来技術における問題を回避し、輻輳制御メカニズムにおいて端末がターゲット伝送リソースを決定するオペレーション手順を簡略化する。
【０００７】
任意選択で、第１の時間期間は、伝送対象データパケットの複数の伝送期間を含む。
【０００８】
本出願のこの実施形態においては、第１の時間期間は、伝送対象データパケットを伝送するための複数の伝送期間を含み得る。端末は、第１の時間期間のリソース利用度に基づいて第１の時間期間全体の伝送リソース利用度しきい値を決定し得、それによって、端末がそれぞれのデータパケットの伝送期間におけるリソース利用度を測定すること、およびそのリソース利用度に基づいて伝送期間の伝送リソース利用度しきい値を決定することを必要とするという従来技術における問題を回避し、輻輳制御メカニズムにおいて端末がデータパケットを伝送するオペレーション手順を簡略化する。
【０００９】
さらに、１つの第１の時間期間において、１つの伝送リソース利用度しきい値が使用される。その第１の時間期間においては、その伝送リソース利用度しきい値は、リソース利用に伴って変わらない。これは、次のケースを回避する。従来技術においては、リソース利用における変化が、端末の伝送リソース利用度しきい値の減少を引き起こし、端末が引き続き同じ伝送リソースを使用してデータパケットを送信すると、伝送リソース利用度が、変化した伝送リソース利用度しきい値よりも高くなる場合があり、この場合端末は、そのデータパケットを破棄する。結果として、破棄されたデータパケットをもともと伝送するための伝送リソースがアイドルになり、別の端末が、誤ってその伝送リソースを利用可能な伝送リソースとみなし、次いでその伝送リソース上でデータパケットを定期的に伝送してしまい、最終的には伝送コンフリクトを引き起こす。
【００１０】
加えて、１つの第１の時間期間において、１つの伝送リソース利用度しきい値が使用される。その第１の時間期間においては、その伝送リソース利用度しきい値は、リソース利用に伴って変わらない。したがって、データパケット伝送プロセスにおいて端末によって実行されるリソース再選択の時間の量が、ある程度低減され、それによってシステム全体における伝送リソース利用度の安定性を改善する。これは、次のケースを回避する。従来技術においては、リソース利用における変化が、端末の伝送リソース利用度しきい値の減少を引き起こし、端末が引き続き同じ伝送リソースを使用してデータパケットを送信すると、伝送リソース利用度が、変化した伝送リソース利用度しきい値よりも高くなる場合があり、この場合端末は、リソース再選択を実行するようにトリガーされる。結果として、端末は、データパケット伝送プロセスにおいてリソース再選択を頻繁に実行し、それによってシステム全体における伝送リソース利用度の安定性が低下する。
【００１１】
任意選択で、第２の時間期間は、第１の時間期間と同じである。
【００１２】
任意選択で、第２の時間期間は、第１の時間期間と同じであり、第１の時間の時間の長さは、予約期間の時間の長さである。第１の時間期間は、伝送対象データパケットの複数の伝送期間を含む。
【００１３】
本出願のこの実施形態においては、予約期間は、伝送対象データパケットを伝送するための複数の伝送期間を含み得る。端末は、予約期間のリソース利用度に基づいて予約期間全体の伝送リソース利用度しきい値を決定し得、それによって、端末がそれぞれのデータパケットの伝送期間におけるリソース利用度を測定すること、およびそのリソース利用度に基づいて伝送期間の伝送リソース利用度しきい値を決定することを必要とするという従来技術における問題を回避し、輻輳制御メカニズムにおいて端末がデータパケットを伝送するオペレーション手順を簡略化する。
【００１４】
さらに、１つの予約期間において、１つの伝送リソース利用度しきい値が使用される。その予約期間においては、その伝送リソース利用度しきい値は、リソース利用に伴って変わらない。これは、次のケースを回避する。従来技術においては、リソース利用における変化が、端末の伝送リソース利用度しきい値の減少を引き起こし、端末が引き続き同じ伝送リソースを使用してデータパケットを送信すると、伝送リソース利用度が、変化した伝送リソース利用度しきい値よりも高くなる場合があり、この場合端末は、そのデータパケットを破棄する。結果として、破棄されたデータパケットをもともと伝送するための伝送リソースがアイドルになり、別の端末が、誤ってその伝送リソースを利用可能な伝送リソースとみなし、次いでその伝送リソース上でデータパケットを定期的に伝送してしまい、最終的には伝送コンフリクトを引き起こす。
【００１５】
加えて、１つの予約期間において、１つの伝送リソース利用度しきい値が使用される。その予約期間においては、その伝送リソース利用度しきい値は、リソース利用に伴って変わらない。したがって、データパケット伝送プロセスにおいて端末によって実行されるリソース再選択の時間の量が、ある程度低減され、それによってシステム全体における伝送リソース利用度の安定性を改善する。これは、次のケースを回避する。従来技術においては、リソース利用における変化が、端末の伝送リソース利用度しきい値の減少を引き起こし、端末が引き続き同じ伝送リソースを使用してデータパケットを送信すると、伝送リソース利用度が、変化した伝送リソース利用度しきい値よりも高くなる場合があり、この場合端末は、リソース再選択を実行するようにトリガーされる。結果として、端末は、データパケット伝送プロセスにおいてリソース再選択を頻繁に実行し、それによってシステム全体における伝送リソース利用度の安定性が低下する。
【００１６】
任意選択で、第２の時間期間の終わりの瞬間は、第１の時間期間の終わりの瞬間と同じである。
【００１７】
任意選択で、端末によって、伝送リソース利用度しきい値を決定するステップは、端末によって、第１の時間期間の始まりの瞬間において伝送リソース利用度しきい値を決定するステップを含む。
【００１８】
任意選択で、第１の時間期間の始まりの瞬間は、端末がリソース選択またはリソース再選択を実行する瞬間である。
【００１９】
任意選択で、第１の時間期間の始まりの瞬間は、端末のカウンタの値がゼロである瞬間であり、カウンタの値は、プリセット時間期間における伝送対象データパケットの量を示すために使用される。
【００２０】
さらに、カウンタは、サイドリンクリソース再選択カウンタ（Ｓｉｄｅｌｉｎｋ  ｒｅｓｏｕｒｃｅ  ｒｅｓｅｌｅｃｔｉｏｎ  ｃｏｕｎｔｅｒ）であり得る。
【００２１】
任意選択で、第１の時間期間の始まりの瞬間は、伝送対象データパケットが端末の論理チャネルにマップされる瞬間である。
【００２２】
任意選択で、リソース利用度はＣＢＲであり得、伝送リソース利用度しきい値はＣＲ限界であり得る。
【００２３】
任意選択で、伝送対象データパケットは、定期的に伝送されるデータパケット、たとえば、ＳＰＴサービスのデータパケットであり得る。
【００２４】
第１の態様の可能な実施態様においては、伝送対象データパケットは、セミパーシステント伝送ＳＰＴサービスのデータパケットであり、伝送対象データパケットが属するＳＰＴサービスは、少なくとも１つのＳＰＴサービスを含む。
【００２５】
第１の時間期間においては、少なくとも１つのＳＰＴサービスのデータパケットどうしが、１つの伝送リソース利用度しきい値を共有し、それによって、それぞれのデータパケット伝送において伝送リソース利用度しきい値が決定されることが必要であるという従来技術における問題を回避し、輻輳制御メカニズムにおいて端末がデータパケットを伝送するオペレーション手順を簡略化する。
【００２６】
第１の態様の可能な実施態様においては、伝送対象データパケットが属するＳＰＴサービスは、複数のＳＰＴサービスを含み、端末によって、ターゲット伝送リソース上で伝送対象データパケットを送信するステップは、端末によって、複数のＳＰＴサービスのうちの少なくともいくつかのデータパケットをターゲット伝送リソース上で複数のＳＰＴサービスの優先度の降順で送信するステップを含む。
【００２７】
複数のＳＰＴサービスのうちの少なくともいくつかのデータパケットを複数のＳＰＴサービスの優先度の降順で送信することは、伝送リソース利用度しきい値を満たし、高い優先度を有するＳＰＴサービスのデータパケットが最初に送信されることを確実にして、高い優先度を有するデータパケットの伝送要件を満たす。
【００２８】
第１の態様の可能な実施態様においては、この方法は、端末によって、複数のＳＰＴサービスのうちで優先度しきい値よりも高い優先度を有するＳＰＴサービスを伝送するために必要とされる伝送リソースの利用度が伝送リソース利用度しきい値よりも高いと決定するステップと、端末によって、要求情報を基地局へ送信するステップであって、要求情報は、複数のＳＰＴサービスのうちで優先度しきい値よりも高い優先度を有するＳＰＴサービスに伝送リソースを割り当てるように基地局に要求するために使用される、ステップとをさらに含む。
【００２９】
要求情報を基地局へ送信すること、および複数のＳＰＴサービスのうちで優先度しきい値よりも高い優先度を有するＳＰＴサービスに伝送リソースを割り当てるように基地局に要求することは、伝送リソース利用度しきい値を満たし、高い優先度を有するＳＰＴサービスのデータパケットが最初に送信されることを確実にして、高い優先度を有するデータパケットの伝送要件を満たす。
【００３０】
第１の態様の可能な実施態様においては、この方法は、端末によってリソース利用度に基づいて、伝送対象データパケットを伝送するための伝送パラメータを入手するステップをさらに含み、端末によって、ターゲット伝送リソース上で伝送対象データパケットを送信するステップは、端末によって、伝送パラメータを使用することによってターゲット伝送リソース上で伝送対象データパケットを送信するステップを含む。
【００３１】
第１の態様の可能な実施態様においては、端末によって、伝送リソース利用度しきい値に基づいてリソースプールからターゲット伝送リソースを選択するステップは、端末によって、伝送リソース利用度しきい値と、伝送対象データパケットを伝送するための伝送パラメータとに基づいてリソースプールからターゲット伝送リソースを選択するステップを含む。
【００３２】
端末によって、伝送リソース利用度しきい値と、伝送対象データパケットを伝送するための伝送パラメータとに基づいてリソースプールからターゲット伝送リソースを選択することは、伝送リソース利用度しきい値を満たし、選択されるターゲット伝送リソースをより適切にする。
【００３３】
第１の態様の可能な実施態様においては、第１の時間期間において、伝送リソース利用度しきい値は減少するが、端末は、リソースプールから伝送リソースを再選択しない。
【００３４】
第１の態様の可能な実施態様においては、端末がリソース利用度に基づいて伝送リソース利用度しきい値を入手することは、端末によって、リソース利用度、およびリソース利用度と伝送リソース利用度しきい値との間におけるマッピング関係に基づいて伝送リソース利用度しきい値を決定することを含む。
【００３５】
端末は、リソース利用度、およびリソース利用度と伝送リソース利用度しきい値との間におけるマッピング関係に基づいて伝送リソース利用度しきい値を独立して決定して、端末と基地局との間におけるシグナリング対話を低減し、端末が伝送リソース利用度しきい値を決定する際のシグナリングオーバーヘッドを低減する。
【００３６】
第１の態様の可能な実施態様においては、端末がリソース利用度に基づいて伝送リソース利用度しきい値を入手することは、端末によって、リソース利用度を基地局へ送信することと、端末によって、基地局によって送信された伝送リソース利用度しきい値を受信することとを含む。
【００３７】
伝送リソース利用度しきい値は、端末と基地局との間におけるシグナリング対話を通じて決定される。これは、伝送リソース利用度しきい値が決定される際の端末の能力に対する要件を低減する。
【００３８】
第２の態様によれば、本出願は、端末を提供する。この端末は、伝送リソース利用度しきい値を決定するように構成されている決定ユニットであって、伝送リソース利用度しきい値は、プリセット時間期間においてリソースプール内の伝送リソースを使用することによって伝送対象データパケットを伝送するための最大の伝送リソース利用度を示し、伝送リソース利用度しきい値は、リソースプール内の伝送リソースのリソース利用度によって決定される、決定ユニットと、決定ユニットによって決定された伝送リソース利用度しきい値に基づいてリソースプールから第１の時間期間におけるターゲット伝送リソースを、第２の時間期間において端末によって使用されるリソースプール内の伝送リソースの伝送リソース利用度が伝送リソース利用度しきい値以下になるように選択するように構成されている選択ユニットであって、第２の時間期間は、第１の時間期間を含み、第１の時間期間の時間の長さは、伝送対象データパケットの伝送期間の時間の長さよりも大きい、選択ユニットと、選択ユニットによって選択されたターゲット伝送リソース上で伝送対象データパケットを送信するように構成されている送信ユニットとを含む。
【００３９】
本出願のこの実施形態においては、端末は、第１の時間期間において伝送リソース利用度しきい値を使用することによってターゲット伝送リソースを選択し得る。具体的には、端末は、期間としてデータパケットの伝送期間を使用してリソース利用度を定期的に測定することを必要としなくてよく、それによって、端末がデータパケットのそれぞれの伝送期間におけるリソース利用度を測定することを必要とするという従来技術における問題を回避し、輻輳制御メカニズムにおいて端末がターゲット伝送リソースを決定するオペレーション手順を簡略化する。
【００４０】
任意選択で、第１の時間期間は、伝送対象データパケットの複数の伝送期間を含む。
【００４１】
本出願のこの実施形態においては、第１の時間期間は、伝送対象データパケットを伝送するための複数の伝送期間を含み得る。端末は、第１の時間期間のリソース利用度に基づいて第１の時間期間全体の伝送リソース利用度しきい値を決定し得、それによって、端末がそれぞれのデータパケットの伝送期間におけるリソース利用度を測定すること、およびそのリソース利用度に基づいて伝送期間の伝送リソース利用度しきい値を決定することを必要とするという従来技術における問題を回避し、輻輳制御メカニズムにおいて端末がデータパケットを伝送するオペレーション手順を簡略化する。
【００４２】
さらに、１つの第１の時間期間において、１つの伝送リソース利用度しきい値が使用される。その第１の時間期間においては、その伝送リソース利用度しきい値は、リソース利用に伴って変わらない。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、そのデータパケットを破棄する。結果として、破棄されたデータパケットをもともと伝送するための伝送リソースがアイドルになり、別の端末が、誤ってその伝送リソースを利用可能な伝送リソースとみなし、次いでその伝送リソース上でデータパケットを定期的に伝送し、最終的には伝送コンフリクトを引き起こす。
【００４３】
加えて、１つの第１の時間期間において、１つの伝送リソース利用度しきい値が使用される。その第１の時間期間においては、その伝送リソース利用度しきい値は、リソース利用に伴って変わらない。したがって、データパケット伝送プロセスにおいて端末によって実行されるリソース再選択の時間の量が、ある程度低減され、それによってシステム全体における伝送リソース利用度の安定性を改善する。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、リソース再選択を実行するようにトリガーされる。結果として、端末は、データパケット伝送プロセスにおいてリソース再選択を頻繁に実行し、それによってシステム全体における伝送リソース利用度の安定性を低減する。
【００４４】
任意選択で、第２の時間期間は、第１の時間期間と同じである。
【００４５】
任意選択で、第２の時間期間は、第１の時間期間と同じであり、第１の時間の時間の長さは、予約期間の時間の長さである。第１の時間期間は、伝送対象データパケットの複数の伝送期間を含む。
【００４６】
本出願のこの実施形態においては、予約期間は、伝送対象データパケットを伝送するための複数の伝送期間を含み得る。端末は、予約期間のリソース利用度に基づいて予約期間全体の伝送リソース利用度しきい値を決定し得、それによって、端末がそれぞれのデータパケットの伝送期間におけるリソース利用度を測定すること、およびそのリソース利用度に基づいて伝送期間の伝送リソース利用度しきい値を決定することを必要とするという従来技術における問題を回避し、輻輳制御メカニズムにおいて端末がデータパケットを伝送するオペレーション手順を簡略化する。
【００４７】
さらに、１つの予約期間において、１つの伝送リソース利用度しきい値が使用される。その予約期間においては、その伝送リソース利用度しきい値は、リソース利用に伴って変わらない。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、そのデータパケットを破棄する。結果として、破棄されたデータパケットをもともと伝送するための伝送リソースがアイドルになり、別の端末が、誤ってその伝送リソースを利用可能な伝送リソースとみなし、次いでその伝送リソース上でデータパケットを定期的に伝送し、最終的には伝送コンフリクトを引き起こす。
【００４８】
加えて、１つの予約期間において、１つの伝送リソース利用度しきい値が使用される。その予約期間においては、その伝送リソース利用度しきい値は、リソース利用に伴って変わらない。したがって、データパケット伝送プロセスにおいて端末によって実行されるリソース再選択の時間の量が、ある程度低減され、それによってシステム全体における伝送リソース利用度の安定性を改善する。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、リソース再選択を実行するようにトリガーされる。結果として、端末は、データパケット伝送プロセスにおいてリソース再選択を頻繁に実行し、それによってシステム全体における伝送リソース利用度の安定性を低減する。
【００４９】
任意選択で、第２の時間期間の終わりの瞬間は、第１の時間期間の終わりの瞬間と同じである。
【００５０】
任意選択で、第１の時間期間の始まりの瞬間は、端末がリソース選択またはリソース再選択を実行する瞬間である。
【００５１】
任意選択で、第１の時間期間の始まりの瞬間は、端末のカウンタの値がゼロである瞬間であり、カウンタの値は、プリセット時間期間における伝送対象データパケットの量を示すために使用される。
【００５２】
さらに、カウンタは、サイドリンクリソース再選択カウンタ（Ｓｉｄｅｌｉｎｋ  ｒｅｓｏｕｒｃｅ  ｒｅｓｅｌｅｃｔｉｏｎ  ｃｏｕｎｔｅｒ）であり得る。
【００５３】
任意選択で、第１の時間期間の始まりの瞬間は、伝送対象データパケットが端末の論理チャネルにマップされる瞬間である。
【００５４】
任意選択で、リソース利用度はＣＢＲであり得、伝送リソース利用度しきい値はＣＲ限界であり得る。
【００５５】
任意選択で、伝送対象データパケットは、定期的に伝送されるデータパケット、たとえば、ＳＰＴサービスのデータパケットであり得る。
【００５６】
第２の態様の可能な実施態様においては、伝送対象データパケットは、セミパーシステント伝送ＳＰＴサービスのデータパケットであり、伝送対象データパケットが属するＳＰＴサービスは、少なくとも１つのＳＰＴサービスを含む。
【００５７】
第１の時間期間においては、少なくとも１つのＳＰＴサービスのデータパケットどうしが、１つの伝送リソース利用度しきい値を共有し、それによって、それぞれのデータパケット伝送において伝送リソース利用度しきい値が決定されることが必要であるという従来技術における問題を回避し、輻輳制御メカニズムにおいて端末がデータパケットを伝送するオペレーション手順を簡略化する。
【００５８】
第２の態様の可能な実施態様においては、伝送対象データパケットが属するＳＰＴサービスは、複数のＳＰＴサービスを含み、送信ユニットは、複数のＳＰＴサービスのうちの少なくともいくつかのデータパケットをターゲット伝送リソース上で複数のＳＰＴサービスの優先度の降順で送信するように特に構成されている。
【００５９】
複数のＳＰＴサービスのうちの少なくともいくつかのデータパケットを複数のＳＰＴサービスの優先度の降順で送信することは、伝送リソース利用度しきい値を満たし、高い優先度を有するＳＰＴサービスのデータパケットが最初に送信されることを確実にして、高い優先度を有するデータパケットの伝送要件を満たす。
【００６０】
第２の態様の可能な実施態様においては、伝送対象データパケットが属するＳＰＴサービスは、複数のＳＰＴサービスを含み、決定ユニットは、複数のＳＰＴサービスのうちで優先度しきい値よりも高い優先度を有するＳＰＴサービスを伝送するために必要とされる伝送リソースの利用度が伝送リソース利用度しきい値よりも高いと決定するようにさらに構成されており、送信ユニットは、要求情報を基地局へ送信するようにさらに構成されており、要求情報は、複数のＳＰＴサービスのうちで優先度しきい値よりも高い優先度を有するＳＰＴサービスに伝送リソースを割り当てるように基地局に要求するために使用される。
【００６１】
要求情報を基地局へ送信すること、および複数のＳＰＴサービスのうちで優先度しきい値よりも高い優先度を有するＳＰＴサービスに伝送リソースを割り当てるように基地局に要求することは、伝送リソース利用度しきい値を満たし、高い優先度を有するＳＰＴサービスのデータパケットが最初に送信されることを確実にして、高い優先度を有するデータパケットの伝送要件を満たす。
【００６２】
第２の態様の可能な実施態様においては、端末は、リソース利用度に基づいて、伝送対象データパケットを伝送するための伝送パラメータを入手するように構成されている入手ユニットをさらに含み、送信ユニットは、伝送パラメータを使用することによってターゲット伝送リソース上で伝送対象データパケットを送信するように特に構成されている。
【００６３】
第２の態様の可能な実施態様においては、選択ユニットは、伝送リソース利用度しきい値と、伝送対象データパケットを伝送するための伝送パラメータとに基づいてリソースプールから第１の時間期間におけるターゲット伝送リソースを選択するように特に構成されている。
【００６４】
端末によって、伝送リソース利用度しきい値と、伝送対象データパケットを伝送するための伝送パラメータとに基づいてリソースプールからターゲット伝送リソースを選択することは、伝送リソース利用度しきい値を満たし、選択されるターゲット伝送リソースをより適切にする。
【００６５】
第２の態様の可能な実施態様においては、入手モジュールは、リソース利用度、およびリソース利用度と伝送リソース利用度しきい値との間におけるマッピング関係に基づいて伝送リソース利用度しきい値を決定するように特に構成されている。
【００６６】
端末は、リソース利用度、およびリソース利用度と伝送リソース利用度しきい値との間におけるマッピング関係に基づいて伝送リソース利用度しきい値を独立して決定して、端末と基地局との間におけるシグナリング対話を低減し、端末が伝送リソース利用度しきい値を決定する際のシグナリングオーバーヘッドを低減する。
【００６７】
第２の態様の可能な実施態様においては、入手モジュールは、リソース利用度を基地局へ送信し、基地局によって送信された伝送リソース利用度しきい値を受信するように特に構成されている。
【００６８】
伝送リソース利用度しきい値は、端末と基地局との間におけるシグナリング対話を通じて決定される。これは、伝送リソース利用度しきい値が決定される際の端末の能力に対する要件を低減する。
【００６９】
第３の態様によれば、本出願は、データパケット伝送端末を提供し、この端末は、メモリ、プロセッサ、入力／出力インターフェース、および通信インターフェースを含む。プロセッサは、伝送リソース利用度しきい値を決定するように構成されており、伝送リソース利用度しきい値は、プリセット時間期間においてリソースプール内の伝送リソースを使用することによって伝送対象データパケットを伝送するための最大の伝送リソース利用度を示し、伝送リソース利用度しきい値は、リソースプール内の伝送リソースのリソース利用度によって決定され、プロセッサは、伝送リソース利用度しきい値に基づいてリソースプールから第１の時間期間におけるターゲット伝送リソースを、第２の時間期間において端末によって使用されるリソースプール内の伝送リソースの伝送リソース利用度が伝送リソース利用度しきい値以下になるように選択するようにさらに構成されており、第２の時間期間は、第１の時間期間を含み、第１の時間期間の時間の長さは、伝送対象データパケットの伝送期間の時間の長さよりも大きい。通信インターフェースは、ターゲット伝送リソース上で伝送対象データパケットを送信するように構成されている。
【００７０】
本出願のこの実施形態においては、端末は、第１の時間期間において伝送リソース利用度しきい値を使用することによってターゲット伝送リソースを選択し得る。具体的には、端末は、期間としてデータパケットの伝送期間を使用してリソース利用度を定期的に測定することを必要としなくてよく、それによって、端末がデータパケットのそれぞれの伝送期間におけるリソース利用度を測定することを必要とするという従来技術における問題を回避し、輻輳制御メカニズムにおいて端末がターゲット伝送リソースを決定するオペレーション手順を簡略化する。
【００７１】
任意選択で、第１の時間期間は、伝送対象データパケットの複数の伝送期間を含む。
【００７２】
本出願のこの実施形態においては、第１の時間期間は、伝送対象データパケットを伝送するための複数の伝送期間を含み得る。端末は、第１の時間期間のリソース利用度に基づいて第１の時間期間全体の伝送リソース利用度しきい値を決定し得、それによって、端末がそれぞれのデータパケットの伝送期間におけるリソース利用度を測定すること、およびそのリソース利用度に基づいて伝送期間の伝送リソース利用度しきい値を決定することを必要とするという従来技術における問題を回避し、輻輳制御メカニズムにおいて端末がデータパケットを伝送するオペレーション手順を簡略化する。
【００７３】
さらに、１つの第１の時間期間において、１つの伝送リソース利用度しきい値が使用される。その第１の時間期間においては、その伝送リソース利用度しきい値は、リソース利用に伴って変わらない。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、そのデータパケットを破棄する。結果として、破棄されたデータパケットをもともと伝送するための伝送リソースがアイドルになり、別の端末が、誤ってその伝送リソースを利用可能な伝送リソースとみなし、次いでその伝送リソース上でデータパケットを定期的に伝送し、最終的には伝送コンフリクトを引き起こす。
【００７４】
加えて、１つの第１の時間期間において、１つの伝送リソース利用度しきい値が使用される。その第１の時間期間においては、その伝送リソース利用度しきい値は、リソース利用に伴って変わらない。したがって、データパケット伝送プロセスにおいて端末によって実行されるリソース再選択の時間の量が、ある程度低減され、それによってシステム全体における伝送リソース利用度の安定性を改善する。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、リソース再選択を実行するようにトリガーされる。結果として、端末は、データパケット伝送プロセスにおいてリソース再選択を頻繁に実行し、それによってシステム全体における伝送リソース利用度の安定性を低減する。
【００７５】
任意選択で、第２の時間期間は、第１の時間期間と同じである。
【００７６】
任意選択で、第２の時間期間は、第１の時間期間と同じであり、第１の時間の時間の長さは、予約期間の時間の長さである。第１の時間期間は、伝送対象データパケットの複数の伝送期間を含む。
【００７７】
本出願のこの実施形態においては、予約期間は、伝送対象データパケットを伝送するための複数の伝送期間を含み得る。端末は、予約期間のリソース利用度に基づいて予約期間全体の伝送リソース利用度しきい値を決定し得、それによって、端末がそれぞれのデータパケットの伝送期間におけるリソース利用度を測定すること、およびそのリソース利用度に基づいて伝送期間の伝送リソース利用度しきい値を決定することを必要とするという従来技術における問題を回避し、輻輳制御メカニズムにおいて端末がデータパケットを伝送するオペレーション手順を簡略化する。
【００７８】
さらに、１つの予約期間において、１つの伝送リソース利用度しきい値が使用される。その予約期間においては、その伝送リソース利用度しきい値は、リソース利用に伴って変わらない。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、そのデータパケットを破棄する。結果として、破棄されたデータパケットをもともと伝送するための伝送リソースがアイドルになり、別の端末が、誤ってその伝送リソースを利用可能な伝送リソースとみなし、次いでその伝送リソース上でデータパケットを定期的に伝送し、最終的には伝送コンフリクトを引き起こす。
【００７９】
加えて、１つの予約期間において、１つの伝送リソース利用度しきい値が使用される。その予約期間においては、その伝送リソース利用度しきい値は、リソース利用に伴って変わらない。したがって、データパケット伝送プロセスにおいて端末によって実行されるリソース再選択の時間の量が、ある程度低減され、それによってシステム全体における伝送リソース利用度の安定性を改善する。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、リソース再選択を実行するようにトリガーされる。結果として、端末は、データパケット伝送プロセスにおいてリソース再選択を頻繁に実行し、それによってシステム全体における伝送リソース利用度の安定性を低減する。
【００８０】
任意選択で、第２の時間期間の終わりの瞬間は、第１の時間期間の終わりの瞬間と同じである。
【００８１】
任意選択で、第１の時間期間の始まりの瞬間は、端末がリソース選択またはリソース再選択を実行する瞬間である。
【００８２】
任意選択で、第１の時間期間の始まりの瞬間は、端末のカウンタの値がゼロである瞬間であり、カウンタの値は、プリセット時間期間における伝送対象データパケットの量を示すために使用される。
【００８３】
さらに、カウンタは、サイドリンクリソース再選択カウンタ（Ｓｉｄｅｌｉｎｋ  ｒｅｓｏｕｒｃｅ  ｒｅｓｅｌｅｃｔｉｏｎ  ｃｏｕｎｔｅｒ）であり得る。
【００８４】
任意選択で、第１の時間期間の始まりの瞬間は、伝送対象データパケットが端末の論理チャネルにマップされる瞬間である。
【００８５】
任意選択で、リソース利用度はＣＢＲであり得、伝送リソース利用度しきい値はＣＲ限界であり得る。
【００８６】
任意選択で、伝送対象データパケットは、定期的に伝送されるデータパケット、たとえば、ＳＰＴサービスのデータパケットであり得る。
【００８７】
第３の態様の可能な実施態様においては、伝送対象データパケットは、セミパーシステント伝送ＳＰＴサービスのデータパケットであり、伝送対象データパケットが属するＳＰＴサービスは、少なくとも１つのＳＰＴサービスを含む。
【００８８】
第１の時間期間においては、少なくとも１つのＳＰＴサービスのデータパケットどうしが、１つの伝送リソース利用度しきい値を共有し、それによって、それぞれのデータパケット伝送において伝送リソース利用度しきい値が決定されることが必要であるという従来技術における問題を回避し、輻輳制御メカニズムにおいて端末がデータパケットを伝送するオペレーション手順を簡略化する。
【００８９】
第３の態様の可能な実施態様においては、伝送対象データパケットが属するＳＰＴサービスは、複数のＳＰＴサービスを含み、通信インターフェースは、複数のＳＰＴサービスのうちの少なくともいくつかのデータパケットをターゲット伝送リソース上で複数のＳＰＴサービスの優先度の降順で送信するように特に構成されている。
【００９０】
複数のＳＰＴサービスのうちの少なくともいくつかのデータパケットを複数のＳＰＴサービスの優先度の降順で送信することは、伝送リソース利用度しきい値を満たし、高い優先度を有するＳＰＴサービスのデータパケットが最初に送信されることを確実にして、高い優先度を有するデータパケットの伝送要件を満たす。
【００９１】
第３の態様の可能な実施態様においては、伝送対象データパケットが属するＳＰＴサービスは、複数のＳＰＴサービスを含み、プロセッサは、複数のＳＰＴサービスのうちで優先度しきい値よりも高い優先度を有するＳＰＴサービスを伝送するために必要とされる伝送リソースの利用度が伝送リソース利用度しきい値よりも高いと決定するようにさらに構成されており、通信インターフェースは、要求情報を基地局へ送信するようにさらに構成されており、要求情報は、複数のＳＰＴサービスのうちで優先度しきい値よりも高い優先度を有するＳＰＴサービスに伝送リソースを割り当てるように基地局に要求するために使用される。
【００９２】
要求情報を基地局へ送信すること、および複数のＳＰＴサービスのうちで優先度しきい値よりも高い優先度を有するＳＰＴサービスに伝送リソースを割り当てるように基地局に要求することは、伝送リソース利用度しきい値を満たし、高い優先度を有するＳＰＴサービスのデータパケットが最初に送信されることを確実にして、高い優先度を有するデータパケットの伝送要件を満たす。
【００９３】
第３の態様の可能な実施態様においては、端末は、リソース利用度に基づいて、伝送対象データパケットを伝送するための伝送パラメータを入手するように構成されている入手ユニットをさらに含み、通信インターフェースは、伝送パラメータを使用することによってターゲット伝送リソース上で伝送対象データパケットを送信するように特に構成されている。
【００９４】
第３の態様の可能な実施態様においては、プロセッサは、伝送リソース利用度しきい値と、伝送対象データパケットを伝送するための伝送パラメータとに基づいてリソースプールから第１の時間期間におけるターゲット伝送リソースを選択するように特に構成されている。
【００９５】
端末によって、伝送リソース利用度しきい値と、伝送対象データパケットを伝送するための伝送パラメータとに基づいてリソースプールからターゲット伝送リソースを選択することは、伝送リソース利用度しきい値を満たし、選択されるターゲット伝送リソースをより適切にする。
【００９６】
第３の態様の可能な実施態様においては、プロセッサは、リソース利用度、およびリソース利用度と伝送リソース利用度しきい値との間におけるマッピング関係に基づいて伝送リソース利用度しきい値を決定するように特に構成されている。
【００９７】
端末は、リソース利用度、およびリソース利用度と伝送リソース利用度しきい値との間におけるマッピング関係に基づいて伝送リソース利用度しきい値を独立して決定して、端末と基地局との間におけるシグナリング対話を低減し、端末が伝送リソース利用度しきい値を決定する際のシグナリングオーバーヘッドを低減する。
【００９８】
第３の態様の可能な実施態様においては、通信インターフェースは、リソース利用度を基地局へ送信し、基地局によって送信された伝送リソース利用度しきい値を受信するようにさらに構成されている。
【００９９】
伝送リソース利用度しきい値は、端末と基地局との間におけるシグナリング対話を通じて決定される。これは、伝送リソース利用度しきい値が決定される際の端末の能力に対する要件を低減する。
【０１００】
第４の態様によれば、本出願は、コンピュータ可読ストレージメディアを提供し、そのコンピュータ可読ストレージメディアは、データパケット伝送方法のプログラムコードを格納するように構成されており、そのプログラムコードは、第１の態様における方法の命令を実行するために使用される。
【図面の簡単な説明】
【０１０１】
【図１】デバイスツーデバイスＤ２Ｄ通信システムに基づいて伝送リソースを決定するための方法の概略図である。
【図２】本出願の実施形態によるデータパケット伝送方法の概略フローチャートである。
【図３】本出願の実施形態による、第１の時間期間と第２の時間期間との間における時間関係の概略図である。
【図４】本出願の実施形態による端末の概略構造図である。
【図５】本出願の別の実施形態による端末の概略構造図である。
【発明を実施するための形態】
【０１０２】
本出願における技術的なソリューションは、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、ワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、ＷＣＤＭＡ）システム、ジェネラルパケットラジオサービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ロングタームエボリューションアドバンスト（Ａｄｖａｎｃｅｄ  ｌｏｎｇ  ｔｅｒｍ  ｅｖｏｌｕｔｉｏｎ、ＬＴＥ−Ａ）システム、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ニューラジオＮＲ（Ｎｅｗ  Ｒａｄｉｏ  Ａｃｃｅｓｓ  Ｔｅｃｈｎｏｌｏｇｙ）、５Ｇ、デバイスツーデバイス（Ｄ２Ｄ）通信システム、またはインターネットオブビークルズ（Ｖ２Ｖ：  Ｖｅｈｉｃｌｅ  ｔｏ  Ｖｅｈｉｃｌｅ）通信システムなどのさまざまな通信システムに適用され得るということを理解されたい。
【０１０３】
本出願の実施形態においては、端末（端末デバイスとも呼ばれる）は、移動局（Ｍｏｂｉｌｅ  Ｓｔａｔｉｏｎ、ＭＳ）、モバイル端末（Ｍｏｂｉｌｅ  Ｔｅｒｍｉｎａｌ）、モバイル電話（Ｍｏｂｉｌｅ  Ｔｅｌｅｐｈｏｎｅ）、ユーザ機器（Ｕｓｅｒ  Ｅｑｕｉｐｍｅｎｔ、ＵＥ）、ハンドセット（ｈａｎｄｓｅｔ）、車載デバイス、ポータブル機器（ｐｏｒｔａｂｌｅ  ｅｑｕｉｐｍｅｎｔ）などを含み得るが、それらには限定されないということをさらに理解されたい。端末デバイスは、無線アクセスネットワーク（Ｒａｄｉｏ  Ａｃｃｅｓｓ  Ｎｅｔｗｏｒｋ、ＲＡＮ）を使用することによって、１つまたは複数のコアネットワークと通信し得る。たとえば、端末デバイスは、モバイル電話（もしくは「セルラー」電話と呼ばれる）、またはワイヤレス通信機能を有するコンピュータであり得、端末デバイスはさらに、ポータブルな、ポケットサイズの、ハンドヘルドの、コンピュータ内蔵の、または車載のモバイル端末であり得る。
【０１０４】
本出願の実施形態においては、基地局は、ＧＳＭもしくはＣＤＭＡにおけるベーストランシーバステーション（Ｂａｓｅ  Ｔｒａｎｓｃｅｉｖｅｒ  Ｓｔａｔｉｏｎ、ＢＴＳ）であり得、ＷＣＤＭＡにおけるＮｏｄｅＢ（ＮｏｄｅＢ）であり得、ＬＴＥにおけるエボルブドＮｏｄｅＢ（ｅｖｏｌｖｅｄ  ＮｏｄｅＢ、ｅＮＢ、もしくはｅ−ＮｏｄｅＢ）であり得、またはＮＲもしくは５ＧのｇＮＢ（ｇＮＢ）であり得る。これは、本出願の実施形態においては特に限定されない。
【０１０５】
理解しやすくするために、デバイスツーデバイスＤ２Ｄ通信システムに基づいて伝送リソースを決定するための方法が、図１を参照しながら簡単に記述されている。
【０１０６】
デバイスツーデバイス（Ｄｅｖｉｃｅ  ｔｏ  Ｄｅｖｉｃｅ、Ｄ２Ｄ）通信テクノロジーにおいては、端末は、別の端末と通信するためにリソースプールから伝送リソースを独立して選択し得る。伝送リソースを選択するプロセスにおいて、端末は、別の端末によって送信されたスケジューリングアサインメント（Ｓｃｈｅｄｕｌｉｎｇ  Ａｓｓｉｇｎｍｅｎｔ、ＳＡ）情報をセンシングウィンドウ（Ｓｅｎｓｉｎｇ  Ｗｉｎｄｏｗ）において感知し得る。ＳＡ情報は、ＳＰＴサービスのデータパケットを伝送するための時間周波数リソース情報、ＳＰＴサービスのデータパケットの伝送期間情報などを示し得る。端末は、別の端末によって送信されたＳＡ情報を感知した感知結果に基づいて、データパケットを伝送するために使用されることが可能である伝送リソース、すなわち、ターゲット伝送リソースを、選択ウィンドウ（Ｓｅｌｅｃｔｉｏｎ  ｗｉｎｄｏｗ）から選択し得る。ターゲット伝送リソースを決定した後に、端末は、ＳＰＴ様式でデータパケットを伝送する。具体的には、端末は、ターゲット伝送リソースを予約し、ＳＰＴの複数の伝送期間においてそのターゲット伝送リソースを使用することによってＳＰＴサービスのデータパケットを送信する。
【０１０７】
端末が伝送リソースを独立して選択する前述の様式に基づくと、大量の端末が、リソースプール内の伝送リソースを使用することによってデータを送信する場合には、通信システムが輻輳することがあり、複数の端末が、ＳＰＴサービスのデータパケットを伝送するためにリソースプールから同じ伝送リソースを選択することがあり、結果として、通信システムの全体的なパフォーマンスが劣化する。通信システムのパフォーマンスを確保するために、輻輳制御メカニズムが導入されている。
【０１０８】
輻輳制御メカニズム１が、基地局によって制御される輻輳制御スキームである。
【０１０９】
ＳＰＴサービスのデータパケットを伝送するプロセスにおいて、端末は、それぞれのＳＰＴサービスのデータパケットの伝送期間のうちで現在の伝送期間におけるＣＢＲを測定すること、および現在の伝送期間におけるＣＢＲの測定結果を基地局へ送信することを必要とする。基地局は、端末によって送信された測定結果に基づいて端末に関して、伝送パラメータセットと、それぞれの伝送パラメータに対応する値の範囲とを構成する。伝送パラメータセットは、伝送電力、変調およびコーディングスキーム（Ｍｏｄｕｌａｔｉｏｎ  ａｎｄ  Ｃｏｄｉｎｇ  Ｓｃｈｅｍｅ、ＭＣＳ）、端末にとって利用可能な物理リソースブロック（Ｐｈｙｓｉｃａｌ  Ｒｅｓｏｕｒｃｅ  Ｂｌｏｃｋ、ＰＲＢ）の量、再伝送時間の量、端末のＳＰＴサービスの伝送期間、およびＣＲ限界のうちの少なくとも１つを含む。端末は、基地局によって送信された伝送パラメータセットを受信し、現在測定されているＣＢＲと、現在の伝送期間におけるサービス優先度とに基づいて伝送リソースを選択し、選択された伝送リソースは、伝送パラメータセット上の制約を満たす。
【０１１０】
輻輳制御メカニズム２が、端末独立モードでの輻輳制御スキームである。
【０１１１】
ＳＰＴサービスのデータパケットを伝送するプロセスにおいて、端末は、それぞれのＳＰＴサービスのデータパケットの伝送期間のうちで現在の伝送期間におけるＣＢＲを測定することを必要とし、端末は、現在の伝送期間において測定されたＣＢＲに基づいて伝送パラメータを直接決定する。伝送パラメータは、伝送電力、ＭＣＳ、端末にとって利用可能なＰＲＢの量、再伝送時間の量、端末のＳＰＴサービスの伝送期間、およびＣＲ限界のうちの少なくとも１つを含み得る。端末は、伝送パラメータを使用することによってターゲット伝送リソース上でＳＰＴサービスのデータパケットを送信する。
【０１１２】
前述の２つの輻輳制御メカニズムにおいて、端末は、それぞれのＳＰＴサービスの伝送期間におけるリソース利用度を測定すること、およびそれぞれの測定されたリソース利用度に基づいて伝送リソース利用度しきい値を入手することを必要とする。使用される伝送リソースの伝送リソース利用度が伝送リソース利用度しきい値を超える場合には、端末は、データパケットを破棄するか、またはリソース再選択を実行する。端末がデータパケットを破棄した場合には、破棄されたデータパケットをもともと伝送するための伝送リソースが、アイドルモードになる。結果として、別の端末が、誤ってその伝送リソースを利用可能な伝送リソースとみなし、次いでその伝送リソース上でその別の端末のデータパケットを定期的に伝送し得る。最終的に、端末および別の端末がそれぞれのデータパケットを同じ伝送リソース上で伝送した場合には、伝送コンフリクトが引き起こされる。端末がリソース再選択を実行する場合には、端末は、データパケットを伝送するプロセスにおいてリソース再選択を頻繁に実行し、それによってシステム全体における伝送リソース利用度の安定性を低減する。
【０１１３】
端末がデータパケットを同じ時間に同じ伝送リソース上で伝送した場合に伝送コンフリクトが引き起こされる可能性をある程度低減するために、またはデータパケット伝送プロセスにおいて端末によって実行されるリソース再選択の時間の量をある程度低減するために、図２を参照しながら、以降では、本出願の実施形態によるデータパケット伝送方法を詳細に記述する。
【０１１４】
図２は、本出願の実施形態によるデータパケット伝送方法の概略フローチャートである。図２は、このデータパケット伝送方法の詳細なステップまたはオペレーションを示しているが、これらのステップまたはオペレーションは例にすぎないということを理解されたい。本出願のこの実施形態においては、図２におけるオペレーションのその他のオペレーションまたは異形がさらに実行され得る。加えて、図２におけるステップは、図２において示されているのとは異なる順序で実行され得、図２におけるすべてのオペレーションが実行されることが必要とは限らないことがある。以降では、図２において示されている方法のステップを詳細に記述している。
【０１１５】
２１０．  端末が、伝送リソース利用度しきい値を決定し、伝送リソース利用度しきい値は、プリセット時間期間においてリソースプール内の伝送リソースを使用することによって伝送対象データパケットを伝送するための最大の伝送リソース利用度を示し、伝送リソース利用度しきい値は、リソースプール内の伝送リソースのリソース利用度によって決定される。
【０１１６】
特に、リソースプールは、複数の伝送リソースを含み得、１つの伝送リソースセットとして理解され得る。
【０１１７】
伝送対象データパケットは、複数のデータパケットを含み得、それらの複数のデータパケットは、同じ伝送リソース上でプリセット期間において端末によって伝送されるデータパケットであり得る。たとえば、伝送対象データパケットは、ＳＰＴサービスのデータパケットであり得る。
【０１１８】
任意選択で、リソースプールは、システムにおける端末にとってのＤ２Ｄ通信のためのリソースプール、たとえば、Ｄ２Ｄ通信のために使用される、およびデータパケットを伝送するために端末によって使用されるリソースプールであり得る。
【０１１９】
任意選択で、伝送リソース利用度しきい値は、ＣＲ限界であり得る。
【０１２０】
特に、上述のＣＲ限界は、チャネルリソース利用度の限界、具体的には、プリセット時間期間において、定期的に伝送されるデータパケット（たとえば、ＳＰＴサービスのデータパケット）を伝送するために端末によって使用されることが可能であるチャネルリソースの最大利用度であり得る。
【０１２１】
任意選択で、ステップ２１０は、端末によって、第１の時間期間の始まりの瞬間において伝送リソース利用度しきい値を決定するステップを含む。
【０１２２】
任意選択で、第１の時間期間の始まりの瞬間は、端末がリソース選択またはリソース再選択を実行する瞬間である。
【０１２３】
任意選択で、第１の時間期間の始まりの瞬間は、端末が、伝送対象データパケットを有する瞬間であり得る。具体的には、第１の時間期間の始まりの瞬間は、伝送対象データパケットが端末の論理チャネルにマップされる瞬間、または伝送対象データパケットが端末のＭＡＣレイヤに到着する到着の瞬間であり得る。
【０１２４】
任意選択で、第１の時間期間の始まりの瞬間は、端末のカウンタの値がゼロである瞬間であり、カウンタの値は、プリセット時間期間における伝送対象データパケットの量を示すために使用される。
【０１２５】
さらに、カウンタは、サイドリンクリソース再選択カウンタ（Ｓｉｄｅｌｉｎｋ  ｒｅｓｏｕｒｃｅ  ｒｅｓｅｌｅｃｔｉｏｎ  ｃｏｕｎｔｅｒ）であり得る。
【０１２６】
特に、カウンタの値は、端末によって伝送されることをさらに必要とする伝送対象データパケットの量、伝送されることを必要とする伝送対象データパケットを端末が有さない瞬間、およびプリセット時間期間においてカウンタの値がゼロである瞬間を示すために使用され得る。
【０１２７】
カウンタの値がゼロである瞬間は、端末がリソース選択またはリソース再選択を実行する瞬間でもあり得るということに留意されたい。
【０１２８】
カウンタの値は、プリセット時間期間における伝送対象データパケットの量を示すために使用され、具体的には、カウンタの値は、プリセット時間期間における伝送対象データパケットの伝送期間の量を示すために使用され得るということをさらに理解されたい。
【０１２９】
２２０．  端末は、伝送リソース利用度しきい値に基づいてリソースプールから第１の時間期間におけるターゲット伝送リソースを、第２の時間期間において端末によって使用されるリソースプール内の伝送リソースの伝送リソース利用度が伝送リソース利用度しきい値以下になるように選択し、第２の時間期間は、第１の時間期間を含み、第１の時間期間の時間の長さは、伝送対象データパケットの伝送期間の時間の長さよりも大きい。
【０１３０】
特に、第２の時間期間が第１の時間期間を含むということは、第１の時間期間が第２の時間期間内の時間期間であるということを意味し得、または第２の時間期間が第１の時間期間と同じであるということを意味し得る。第２の時間期間が第１の時間期間と同じであるということは、第２の時間期間の始まりの瞬間が第１の時間期間の始まりの瞬間と同じであり、第２の時間期間の終わりの瞬間が第１の時間期間の終わりの瞬間と同じであるということを意味し得る。
【０１３１】
任意選択で、第１の時間期間が第２の時間期間と同じである場合には、第１の時間期間の時間の長さは、予約期間の時間の長さであり得、予約期間は、伝送対象データパケットの複数の伝送期間を含み得る。
【０１３２】
特に、端末は、期間として予約期間を使用することによって伝送リソース利用度しきい値を定期的に決定し、予約期間において伝送対象データパケットを伝送し得る。
【０１３３】
端末は、リソース利用度に基づいて予約期間全体の伝送リソース利用度しきい値を決定し得、それによって、端末がそれぞれのデータパケットの伝送期間におけるリソース利用度を測定すること、およびそのリソース利用度に基づいて伝送期間の伝送リソース利用度しきい値を決定することを必要とするという従来技術における問題を回避し、輻輳制御メカニズムにおいて端末がデータパケットを伝送するオペレーション手順を簡略化する。
【０１３４】
さらに、１つの予約期間において、１つの伝送リソース利用度しきい値が使用される。その予約期間においては、その伝送リソース利用度しきい値は、リソース利用に伴って変わらない。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、そのデータパケットを破棄する。結果として、破棄されたデータパケットをもともと伝送するための伝送リソースがアイドルになり、別の端末が、誤ってその伝送リソースを利用可能な伝送リソースとみなし、次いでその伝送リソース上でデータパケットを定期的に伝送し、最終的には伝送コンフリクトを引き起こす。
【０１３５】
加えて、１つの予約期間において、１つの伝送リソース利用度しきい値が使用される。その予約期間においては、その伝送リソース利用度しきい値は、リソース利用に伴って変わらない。したがって、データパケット伝送プロセスにおいて端末によって実行されるリソース再選択の時間の量が、ある程度低減され、それによってシステム全体における伝送リソース利用度の安定性を改善する。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、リソース再選択を実行するようにトリガーされる。結果として、端末は、データパケット伝送プロセスにおいてリソース再選択を頻繁に実行し、それによってシステム全体における伝送リソース利用度の安定性を低減する。
【０１３６】
任意選択で、第１の時間期間は、伝送対象データパケットの複数の伝送期間を含む。
【０１３７】
たとえば、第１の時間期間は、伝送対象データパケットの５個の伝送期間に対応する時間の長さであり得、または第１の時間期間は、伝送対象データパケットの４．５個の伝送期間に対応する時間の長さであり得る。
【０１３８】
任意選択で、第２の時間期間の終わりの瞬間は、第１の時間期間の終わりの瞬間と同じである。
【０１３９】
特に、第２の時間期間は、第１の時間期間を含み得、第２の時間期間の終わりの瞬間は、第１の時間期間の終わりの瞬間と同じである。具体的には、第１の時間期間の始まりの瞬間は、時間の点で第２の時間期間の始まりの瞬間よりも遅いことがあり（図３を参照されたい）、または第１の時間の始まりの瞬間は、第２の時間期間の始まりの瞬間と同じであり得る。
【０１４０】
２３０．  端末は、ターゲット伝送リソース上で伝送対象データパケットを送信する。
【０１４１】
特に、第１の時間期間において、端末は、ターゲット伝送リソース上で伝送対象データパケットを送信し得る。
【０１４２】
任意選択で、実施形態においては、ステップ２１０の前に、この方法は、下記のステップをさらに含む。
【０１４３】
２４０．  端末は、リソースプール内の伝送リソースのリソース利用度を決定する。
【０１４４】
リソース利用度は、第２の時間期間における端末の伝送リソース利用度しきい値を決定するために使用され得、リソース利用度は、第１の時間期間の始まりの瞬間の前の任意の瞬間において端末によって測定され得るということを理解されたい。リソース利用度はまた、第１の時間期間の始まりの瞬間において端末によって測定され得る。本出願のこの実施形態は、リソース利用度の測定時間について特定の制限を設定していない。
【０１４５】
任意選択で、リソース利用度はＣＢＲであり得る。
【０１４６】
特に、端末は、ＰＲＢ上の信号のエネルギー、またはサブチャネル（Ｓｕｂ−ｃｈａｎｎｅｌ）上の信号のエネルギーを検知することによってＣＢＲを決定し得る。１つのサブチャネルは、周波数ドメインにおいて連続している複数のＰＲＢを含み得る。
【０１４７】
任意選択で、ステップ２１０は、端末によって、リソース利用度、およびリソース利用度と伝送リソース利用度しきい値との間におけるマッピング関係に基づいて伝送リソース利用度しきい値を決定することを含み得る。
【０１４８】
特に、端末は、リソース利用度に基づいて伝送リソース利用度しきい値を独立して決定し得る。
【０１４９】
任意選択で、リソース利用度は第１のＣＢＲであり、伝送リソース利用度しきい値は第１のＣＲ限界である。ステップ２１０は、端末によって、第１のＣＢＲ、およびＣＢＲとＣＲ限界との間におけるマッピング関係に基づいて第１のＣＲ限界を決定することをさらに含み得る。
【０１５０】
特に、第１のＣＢＲは、第１の時間期間において常に使用される、および第２の時間期間においてＣＲ限界を決定するために使用されるＣＢＲであり得る。
【０１５１】
第１のＣＢＲは、リソース選択またはリソース再選択の瞬間において端末によって測定されるＣＢＲであり得るということを理解されたい。第１のＣＢＲはまた、リソース選択またはリソース再選択が開始する前の任意の瞬間において端末によって測定されるＣＢＲであり得る。
【０１５２】
ＣＢＲとＣＲ限界との間におけるマッピング関係があるということを理解されたい。別々のＣＢＲが別々のＣＲ限界に対応していることがあり、別々のＣＢＲのうちのいくつかのＣＢＲが１つのＣＲ限界に対応していることがある。本出願は、ＣＢＲとＣＲ限界との間におけるマッピング関係について特定の制限を設定していない。
【０１５３】
別々の端末は、ＣＢＲとＣＲ限界との間における別々のマッピング関係に対応していることがあるということをさらに理解されたい。たとえば、第１の端末に関して、ＣＢＲが０．７である場合に、ＣＲ限界は０．２であり得、第２の端末に関して、ＣＢＲが０．７である場合に、ＣＲ限界は０．２５であり得る。別々の端末は、ＣＢＲとＣＲ限界との間における同じマッピング関係に対応していることもある。たとえば、第１の端末に関して、ＣＢＲが０．７である場合に、ＣＲ限界は０．２であり得、第２の端末に関して、ＣＢＲが０．７である場合に、ＣＲ限界はまた０．２であり得る。これは、本出願のこの実施形態においては特に限定されない。
【０１５４】
任意選択で、ステップ２１０は、端末によって、リソース利用度を基地局へ送信することと、端末によって、基地局によって送信された伝送リソース利用度しきい値を受信することとをさらに含み得る。
【０１５５】
特に、端末は、リソース利用度を基地局へ送信し得、基地局は、リソース利用度に基づいて端末に関する伝送リソース利用度しきい値を構成する。
【０１５６】
任意選択で、リソース利用度はＣＢＲであり、伝送リソース利用度しきい値はＣＲ限界である。ステップ２１０は、端末によって、ＣＢＲを基地局へ送信することと、端末によって、基地局によって送信されたＣＢＲに対応するＣＲ限界を受信することとをさらに含み得、ＣＢＲに対応するＣＲ限界は、ＣＢＲ、およびＣＢＲとＣＲ限界との間におけるマッピング関係に基づいて基地局によって決定される。
【０１５７】
特に、ＣＢＲは、第２の時間期間においてＣＲ限界を決定するために使用されるＣＢＲであり得る。
【０１５８】
任意選択で、伝送対象データパケットは、セミパーシステント伝送ＳＰＴサービスのデータパケットであり、伝送対象データパケットが属するＳＰＴサービスは、少なくとも１つのＳＰＴサービスを含む。
【０１５９】
特に、端末によって伝送されることになるＳＰＴサービスが１つのＳＰＴサービスを含む場合には、第１の時間期間の時間の長さは、そのＳＰＴサービスのデータパケットを伝送するための伝送期間の時間の長さよりも大きい。端末によって伝送されることになるＳＰＴサービスが複数のＳＰＴサービスを含む場合には、第１の時間期間は、複数のＳＰＴサービスのデータパケットを伝送するための複数の伝送期間を含み得る。たとえば、端末によって伝送されることになるＳＰＴサービスは、第１のＳＰＴサービスおよび第２のＳＰＴサービスを含む。このケースにおいては、第１の時間期間は、第１のＳＰＴサービスのデータパケットを伝送するためのすべての伝送期間と、第２のＳＰＴサービスのデータパケットを伝送するための少なくともいくつかの伝送期間とを含み得る。あるいは、第１の時間期間は、第２のＳＰＴサービスのデータパケットを伝送するためのすべての伝送期間と、第１のＳＰＴサービスのデータパケットを伝送するための少なくともいくつかの伝送期間とを含み得る。具体的には、伝送対象ＳＰＴサービスが複数のＳＰＴサービスを含む場合には、第１の時間期間において、複数のＳＰＴサービスの複数のデータパケットを伝送するための伝送リソース利用度の合計は、伝送リソース利用度しきい値以下であり、複数のＳＰＴサービスの複数のデータパケットを伝送することは、伝送リソース利用度しきい値を共有し得る。
【０１６０】
任意選択で、実施形態においては、伝送対象データパケットが属するＳＰＴサービスは、複数のＳＰＴサービスを含み、端末によって、ターゲット伝送リソース上で伝送対象データパケットを送信するステップは、端末によって、複数のＳＰＴサービスのうちの少なくともいくつかのデータパケットをターゲット伝送リソース上で複数のＳＰＴサービスの優先度の降順で送信するステップを含む。
【０１６１】
特に、第１の時間期間において、端末は、複数のＳＰＴサービスのうちの少なくともいくつかのデータパケットをターゲット伝送リソース上で複数のＳＰＴサービスの優先度の降順で送信する。
【０１６２】
たとえば、複数のＳＰＴサービスは、第１のＳＰＴサービス、第２のＳＰＴサービス、および第３のＳＰＴサービスを含む。第１のＳＰＴサービスの優先度は、第２のＳＰＴサービスの優先度と同じであり得、第３のＳＰＴサービスの優先度は、第１のＳＰＴサービスの優先度および第２のＳＰＴサービスの優先度よりも低いことがある。このケースにおいては、端末は、第１のＳＰＴサービスおよび第２のＳＰＴサービスからランダムに選択される１つのＳＰＴサービスを最初に送信し得る。端末が第１のＳＰＴサービスのデータパケットおよび第２のＳＰＴサービスのデータパケットを送信した後に、端末は引き続き、第３のＳＰＴサービスのデータパケットを送信し得る。
【０１６３】
複数のＳＰＴサービスのうちの少なくともいくつかのデータパケットを複数のＳＰＴサービスの優先度の降順で送信するステップは、複数のＳＰＴサービスのデータパケットを複数のＳＰＴサービスの優先度の降順で送信すること、または複数のＳＰＴサービスのうちのいくつかのデータパケットを複数のＳＰＴサービスの優先度の降順で送信することであり得るということを理解されたい。具体的には、端末が複数のＳＰＴサービスのデータパケットをターゲット伝送リソース上で複数のＳＰＴサービスの優先度の降順で送信する際に、端末が複数のＳＰＴサービスのデータパケットを完全に送信するわけではない場合には、データパケットを伝送するための伝送リソースの利用度は、伝送リソース利用度しきい値を超え、端末は、複数のＳＰＴサービスのうちのいくつかのデータパケットを送信し得る。
【０１６４】
たとえば、端末は、ＣＢＲに基づいて、ＣＲ限界（ＣＲ＿ｌｉｍｉｔ）がＣＲ＿ｌｉｍｉｔ  ３であると決定し、端末によって伝送されることになるＳＰＴサービスは、ＳＰＴ１サービスおよびＳＰＴ２サービスを含む。ＳＰＴ１サービスに対応する優先度Ｐ１は、ＳＰＴ２サービスに対応する優先度Ｐ２よりも高い。優先度Ｐ１に対応するＣＲ＿ｌｉｍｉｔは、ＣＲ＿ｌｉｍｉｔ  １であり、優先度Ｐ２に対応するＣＲ＿ｌｉｍｉｔは、ＣＲ＿ｌｉｍｉｔ  ２である。端末は、優先度Ｐ１に対応するＳＰＴ１サービスのデータパケットを最初に伝送し得る。優先度Ｐ１に対応するＳＰＴ１サービスのＣＲ＿ｌｉｍｉｔ  １がＣＲ＿ｌｉｍｉｔ  ３に等しい場合には、端末は、優先度Ｐ２に対応するＳＰＴ２サービスのデータパケットを伝送しない。優先度Ｐ１に対応するＳＰＴ１サービスのＣＲ＿ｌｉｍｉｔ  １がＣＲ＿ｌｉｍｉｔ  ３未満である場合には、端末は、残りの伝送リソース利用度（すなわち、ＣＲ＿ｌｉｍｉｔ  ３−ＣＲ＿ｌｉｍｉｔ  １）を使用して、優先度Ｐ２に対応するＳＰＴ２サービスのデータパケットを伝送することを、ＳＰＴ２サービスのデータパケットを伝送するために使用される伝送リソース利用度がＣＲ＿ｌｉｍｉｔ  ３−ＣＲ＿ｌｉｍｉｔ  １に等しくなるまで行い得る。
【０１６５】
任意選択で、実施形態においては、この方法は、端末によって、複数のＳＰＴサービスのうちで優先度しきい値よりも高い優先度を有するＳＰＴサービスを伝送するために必要とされる伝送リソースの利用度が伝送リソース利用度しきい値よりも高いと決定するステップと、端末によって、要求情報を基地局へ送信するステップであって、要求情報は、複数のＳＰＴサービスのうちで優先度しきい値よりも高い優先度を有するＳＰＴサービスに伝送リソースを割り当てるように基地局に要求するために使用される、ステップとをさらに含む。
【０１６６】
特に、複数のＳＰＴサービスのうちで優先度しきい値よりも高い優先度を有するＳＰＴサービスは、１つのＳＰＴサービスであり得、または複数のＳＰＴサービスであり得る。
【０１６７】
任意選択で、実施形態においては、この方法は、端末によってリソース利用度に基づいて、伝送対象データパケットを伝送するための伝送パラメータを入手するステップをさらに含み、端末によって、ターゲット伝送リソース上で伝送対象データパケットを送信するステップは、端末によって、伝送パラメータを使用することによってターゲット伝送リソース上で伝送対象データパケットを送信するステップを含む。
【０１６８】
特に、第１の時間期間において、端末は、伝送パラメータを使用することによってターゲット伝送リソース上で伝送対象データパケットを送信し得る。
【０１６９】
伝送パラメータは、伝送対象データパケットを伝送するために必要とされる伝送電力、伝送対象データパケットを伝送するためのＭＣＳ、伝送対象データパケットを伝送するために必要とされるＰＲＢの量、伝送対象データパケットを伝送する再伝送時間の量、および伝送対象データパケットを伝送するための伝送期間のうちの少なくとも１つを含む。
【０１７０】
伝送対象データパケットがＳＰＴサービスのデータパケットである場合には、伝送パラメータのうちの伝送期間は、ＳＰＴサービスのデータパケットの伝送期間であり得るということを理解されたい。
【０１７１】
任意選択で、実施形態においては、端末によって、伝送リソース利用度しきい値に基づいてリソースプールからターゲット伝送リソースを選択するステップは、端末によって、伝送リソース利用度しきい値と、伝送対象データパケットを伝送するための伝送パラメータとに基づいてリソースプールからターゲット伝送リソースを選択するステップを含む。
【０１７２】
たとえば、伝送パラメータが、伝送対象データパケットを伝送するためのＰＲＢの量を含む場合には、端末は、伝送リソース利用度しきい値と、伝送対象データパケットを伝送するために必要とされるＰＲＢの量とに基づいてターゲット伝送リソースを選択し得る。別の例に関しては、伝送パラメータが、伝送対象データパケットを伝送するための伝送期間を含む場合には、端末は、伝送リソース利用度しきい値と、伝送対象データパケットを伝送するための伝送期間とに基づいてターゲット伝送リソースを選択し得る。端末は、別の端末によって送信されたＳＡ情報を検知することによって、その別の端末がデータパケットを伝送する伝送期間を決定し得る。端末は、別の端末がデータパケットを伝送する伝送期間と、端末がデータパケットを伝送する伝送期間とに基づいてリソースプールからターゲット伝送リソースを選択し得る。
【０１７３】
任意選択で、第１の時間期間において、リソース利用度は変わるが、端末は、リソースプールから伝送リソースを再選択しない。
【０１７４】
特に、第１の時間期間において、いかにリソース利用度が変わるかにかかわらず、端末は、リソースプールから伝送リソースを再選択するようにトリガーされない。
【０１７５】
前述の内容は、図１から図３を参照しながら本出願の実施形態によるデータパケット伝送方法を詳細に記述している。以降では、図４および図５を参照しながら本出願の実施形態による端末を詳細に記述している。図４および図５において示されている端末は、図２におけるすべてのステップを実施することが可能であるということを理解されたい。繰り返しを避けるために、詳細が再びここで記述されることはない。
【０１７６】
図４は、本出願の実施形態によるデータパケット伝送端末の概略ブロック図である。図４において示されている端末４００は、決定ユニット４１０、選択ユニット４２０、および送信ユニット４４０を含む。
【０１７７】
決定ユニット４１０は、伝送リソース利用度しきい値を決定するように構成されており、伝送リソース利用度しきい値は、プリセット期間においてリソースプール内の伝送リソースを使用することによって伝送対象データパケットを伝送するための最大の伝送リソース利用度を示し、伝送リソース利用度しきい値は、リソースプール内の伝送リソースのリソース利用度によって決定される。
【０１７８】
選択ユニット４２０は、決定ユニットによって決定された伝送リソース利用度しきい値に基づいてリソースプールから第１の時間期間におけるターゲット伝送リソースを、第２の時間期間において端末によって使用されるリソースプール内の伝送リソースの伝送リソース利用度が伝送リソース利用度しきい値以下になるように選択するように構成されており、第２の時間期間は、第１の時間期間を含み、第１の時間期間の時間の長さは、伝送対象データパケットの伝送期間の時間の長さよりも大きい。
【０１７９】
送信ユニット４３０は、選択ユニットによって選択されたターゲット伝送リソース上で伝送対象データパケットを送信するように構成されている。
【０１８０】
任意選択で、実施形態においては、第２の時間期間の時間の長さは、第１の時間期間の時間の長さと同じである。
【０１８１】
任意選択で、実施形態においては、第２の時間期間の終わりの瞬間は、第１の時間期間の終わりの瞬間と同じである。
【０１８２】
任意選択で、実施形態においては、決定ユニットは、第１の時間期間の始まりの瞬間における伝送リソース利用度しきい値を決定するように特に構成されている。
【０１８３】
任意選択で、実施形態においては、第１の時間期間の始まりの瞬間は、端末がリソース選択またはリソース再選択を実行する瞬間である。
【０１８４】
任意選択で、第１の時間期間の始まりの瞬間は、端末のカウンタの値がゼロである瞬間であり、カウンタの値は、プリセット時間期間における伝送対象データパケットの量を示すために使用される。
【０１８５】
さらに、カウンタは、サイドリンクリソース再選択カウンタ（Ｓｉｄｅｌｉｎｋ  ｒｅｓｏｕｒｃｅ  ｒｅｓｅｌｅｃｔｉｏｎ  ｃｏｕｎｔｅｒ）に相当する。
【０１８６】
任意選択で、実施形態においては、第１の時間期間の始まりの瞬間は、伝送対象データパケットが端末の論理チャネルにマップされる瞬間である。
【０１８７】
任意選択で、実施形態においては、伝送対象データパケットは、セミパーシステント伝送ＳＰＴサービスのデータパケットであり、伝送対象データパケットが属するＳＰＴサービスは、少なくとも１つのＳＰＴサービスを含む。
【０１８８】
任意選択で、実施形態においては、伝送対象データパケットが属するＳＰＴサービスは、複数のＳＰＴサービスを含み、送信ユニットは、複数のＳＰＴサービスのうちの少なくともいくつかのデータパケットをターゲット伝送リソース上で複数のＳＰＴサービスの優先度の降順で送信するように特に構成されている。
【０１８９】
任意選択で、実施形態においては、伝送対象データパケットが属するＳＰＴサービスは、複数のＳＰＴサービスを含み、決定ユニットは、複数のＳＰＴサービスのうちで優先度しきい値よりも高い優先度を有するＳＰＴサービスを伝送するために必要とされる伝送リソースの利用度が伝送リソース利用度しきい値よりも高いと決定するようにさらに構成されており、送信ユニットは、要求情報を基地局へ送信するようにさらに構成されており、要求情報は、複数のＳＰＴサービスのうちで優先度しきい値よりも高い優先度を有するＳＰＴサービスに伝送リソースを割り当てるように基地局に要求するために使用される。
【０１９０】
任意選択で、実施形態においては、端末は、リソース利用度に基づいて、伝送対象データパケットを伝送するための伝送パラメータを入手するように構成されている入手ユニットをさらに含み、送信ユニットは、伝送パラメータを使用することによってターゲット伝送リソース上で伝送対象データパケットを送信するように特に構成されている。
【０１９１】
任意選択で、実施形態においては、選択ユニットは、伝送リソース利用度しきい値と、伝送対象データパケットを伝送するための伝送パラメータとに基づいてリソースプールから第１の時間期間におけるターゲット伝送リソースを選択するように特に構成されている。
【０１９２】
任意選択で、実施形態においては、入手モジュールは、リソース利用度、およびリソース利用度と伝送リソース利用度しきい値との間におけるマッピング関係に基づいて伝送リソース利用度しきい値を決定するように特に構成されている。
【０１９３】
任意選択で、実施形態においては、入手モジュールは、リソース利用度を基地局へ送信し、基地局によって送信された伝送リソース利用度しきい値を受信するように特に構成されている。
【０１９４】
任意選択で、実施形態においては、第１の時間期間において、リソース利用度は変わるが、端末は、リソースプールから伝送リソースを再選択しない。
【０１９５】
任意選択の実施形態においては、決定ユニット４１０および選択ユニット４２０は、プロセッサ５２０であり得、送信ユニット４３０は、通信インターフェース５３０であり得、端末デバイスは、入力／出力インターフェース５３０およびメモリ５１０をさらに含み得る。詳細は、図５において示されている。
【０１９６】
図５は、本出願の別の実施形態による端末の概略ブロック図である。図５において示されている端末５００は、メモリ５１０、プロセッサ５２０、入力／出力インターフェース５３０、および通信インターフェース５４０を含み得る。メモリ５１０、プロセッサ５２０、入力／出力インターフェース５３０、および通信インターフェース５４０は、内部接続チャネルを使用することによって接続されている。メモリ５１０は、命令を格納するように構成されている。プロセッサ５２０は、メモリ５２０内に格納されている命令を実行して、入力されたデータおよび情報を受け取ってオペレーション結果などのデータを出力するように入力／出力インターフェース５３０を制御し、信号を送信するように通信インターフェース５５０を制御するように構成されている。
【０１９７】
プロセッサ５２０は、伝送リソース利用度しきい値を決定することであって、伝送リソース利用度しきい値は、プリセット時間期間においてリソースプール内の伝送リソースを使用することによって伝送対象データパケットを伝送するための最大の伝送リソース利用度を示し、伝送リソース利用度しきい値は、リソースプール内の伝送リソースのリソース利用度によって決定される、決定することと、伝送リソース利用度しきい値に基づいてリソースプールから第１の時間期間におけるターゲット伝送リソースを、第２の時間期間において端末によって使用されるリソースプール内の伝送リソースの伝送リソース利用度が伝送リソース利用度しきい値以下になるように選択することであって、第２の時間期間は、第１の時間期間を含み、第１の時間期間の時間の長さは、伝送対象データパケットの伝送期間の時間の長さよりも大きい、選択することとを行うように構成されている。
【０１９８】
通信インターフェース５４０は、ターゲット伝送リソース上で伝送対象データパケットを送信するように構成されている。
【０１９９】
本出願のこの実施形態においては、プロセッサ５２０は、汎用中央処理装置（Ｃｅｎｔｒａｌ  Ｐｒｏｃｅｓｓｉｎｇ  Ｕｎｉｔ、ＣＰＵ）、マイクロプロセッサ、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または１つもしくは複数の集積回路であり得、関連したプログラムを実行して、本出願の実施形態において提供されている技術的なソリューションを実施するように構成されているということを理解されたい。
【０２００】
通信インターフェース５４０は、限定ではなく例として、端末５００と別のデバイスまたは通信ネットワークとの間における通信を実施するためにトランシーバなどのトランシーバ装置を使用するということをさらに理解されたい。
【０２０１】
メモリ５１０は、読み取り専用メモリおよびランダムアクセスメモリを含み、命令およびデータをプロセッサ５２０に提供し得る。プロセッサ５２０の一部は、不揮発性ランダムアクセスメモリをさらに含み得る。たとえば、プロセッサ５２０は、デバイスタイプに関する情報をさらに格納し得る。
【０２０２】
実施プロセスにおいては、前述の方法のステップは、プロセッサ５２０内のハードウェア集積論理回路を使用することによって、またはソフトウェアの形態の命令を使用することによって実施され得る。本出願の実施形態を参照しながら開示されているデータパケット伝送方法は、ハードウェアプロセッサによって直接実行され得、またはプロセッサ内のハードウェアとソフトウェアモジュールとの組合せを使用することによって実行され得る。ソフトウェアモジュールは、ランダムアクセスメモリ、フラッシュメモリ、読み取り専用メモリ、プログラム可能読み取り専用メモリ、電気的消去可能プログラム可能メモリ、またはレジスタなど、当技術分野における成熟したストレージメディアに配置され得る。ストレージメディアは、メモリ５１０内に配置され、プロセッサ５２０は、メモリ５１０内の情報を読み取り、プロセッサのハードウェアとの組合せで前述の方法のステップを完遂する。繰り返しを避けるために、詳細が再びここで記述されることはない。
【０２０３】
本出願の実施形態においては、端末は、第１の時間期間において伝送リソース利用度しきい値を使用することによってターゲット伝送リソースを選択し得る。具体的には、端末は、期間としてデータパケットの伝送期間を使用してリソース利用度を定期的に測定することを必要としなくてよく、それによって、端末がデータパケットのそれぞれの伝送期間におけるリソース利用度を測定することを必要とするという従来技術における問題を回避し、輻輳制御メカニズムにおいて端末がターゲット伝送リソースを決定するオペレーション手順を簡略化する。
【０２０４】
本出願の実施形態においては、「Ａに対応するＢ」は、ＢがＡに関連付けられていて、ＢがＡに基づいて決定され得るということを示しているということを理解されたい。しかしながら、Ａに基づいてＢを決定することは、ＢがＡのみに基づいて決定されるということを意味するわけではなく、Ｂは、Ａおよび／またはその他の情報に基づいても決定され得るということをさらに理解されたい。
【０２０５】
本明細書における「および／または」という用語は、関連付けられているオブジェクトどうしを記述するための関連付け関係のみを記述しており、３つの関係が存在し得るということを表しているということを理解されたい。たとえば、「Ａおよび／またはＢ」は、「Ａのみが存在する」、「ＡおよびＢの両方が存在する」、ならびに「Ｂのみが存在する」という３つのケースを表し得る。加えて、本明細書における「／」という文字は一般に、関連付けられているオブジェクトどうしの間における「または」という関係を示している。
【０２０６】
前述のプロセスのシーケンス番号は、本出願のさまざまな実施形態における実行シーケンスを意味するわけではないということを理解されたい。プロセスどうしの実行シーケンスは、プロセスの機能および内部ロジックに基づいて決定されるべきであり、本出願の実施形態の実施プロセスに対する何らかの限定と解釈されるべきではない。
【０２０７】
本出願において提供されているいくつかの実施形態においては、開示されているシステム、装置、および方法がその他の様式で実施され得るということを理解されたい。たとえば、記述されている装置実施形態は、例にすぎない。たとえば、ユニットの区分は、論理的な機能区分にすぎず、実際の実施においてはその他の区分であってもよい。たとえば、複数のユニットもしくはコンポーネントが組み合わされてもしくは統合されて別のシステムになってもよく、またはいくつかの機能が無視されてもよく、もしくは実行されなくてもよい。加えて、表示されているまたは論じられている相互の結合または直接の結合または通信接続は、いくつかのインターフェースを使用することによって実施され得る。装置どうしまたはユニットどうしの間における間接的な結合または通信接続は、電子的な形態、機械的な形態、またはその他の形態で実施され得る。
【０２０８】
別々の部分として記述されているユニットどうしは、物理的に別々であってもよく、または物理的に別々でなくてもよく、ユニットとして表示されている部分は、物理的なユニットであってもよく、または物理的なユニットでなくてもよく、１つの位置に配置されてもよく、または複数のネットワークユニット上に分散されてもよい。ユニットのうちのいくつかまたはすべては、実施形態のソリューションの目的を達成するために実際の必要性に基づいて選択され得る。
【０２０９】
加えて、本出願の実施形態における機能ユニットどうしが統合されて１つの処理ユニットになってもよく、またはそれらのユニットのそれぞれが物理的に単独で存在してもよく、または２つ以上のユニットが統合されて１つのユニットになる。
【０２１０】
機能がソフトウェア機能ユニットの形態で実装されて、独立した製品として販売または使用される場合には、それらの機能は、コンピュータ可読ストレージメディア内に格納され得る。そのような理解に基づいて、本質的に本出願の技術的なソリューション、または従来技術に貢献する部分、またはそれらの技術的なソリューションのいくつかが、ソフトウェア製品の形態で実装され得る。そのコンピュータソフトウェア製品は、ストレージメディア内に格納され、本出願の実施形態において記述されている方法のステップのうちのすべてまたはいくつかを実行するようにコンピュータデバイス（パーソナルコンピュータ、サーバ、もしくはネットワークデバイスであり得る）に指示するためのいくつかの命令を含む。前述のストレージメディアは、ＵＳＢフラッシュドライブ、取り外し可能なハードディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなど、プログラムコードを格納することができる任意のメディアを含む。
【図１】
2020506590.tif 000003
【図２】
2020506590.tif 000004
【図３】
2020506590.tif 000005
【図４】
2020506590.tif 000006
【図５】
2020506590.tif 000007
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
端末によって、伝送リソース利用度しきい値を決定するステップであって、前記伝送リソース利用度しきい値は、プリセット時間期間においてリソースプール内の伝送リソースを使用することによって伝送対象データパケットを伝送するための最大の伝送リソース利用度を示し、前記伝送リソース利用度しきい値は、前記リソースプール内の前記伝送リソースのリソース利用度によって決定される、ステップと、
前記端末によって、前記伝送リソース利用度しきい値に基づいて前記リソースプールから第１の時間期間におけるターゲット伝送リソースを選択するステップであって、第２の時間期間において前記端末によって使用される前記リソースプール内の前記伝送リソースの伝送リソース利用度が前記伝送リソース利用度しきい値以下であり、前記第２の時間期間は、前記第１の時間期間を含み、前記第１の時間期間の時間の長さは、前記伝送対象データパケットの伝送期間の時間の長さよりも大きい、ステップと、
前記端末によって、前記ターゲット伝送リソース上で前記伝送対象データパケットを送信するステップと
を含むデータパケット伝送方法。
【請求項２】
前記第２の時間期間は、前記第１の時間期間と同じである請求項１に記載の方法。
【請求項３】
前記第２の時間期間の終わりの瞬間は、前記第１の時間期間の終わりの瞬間と同じである請求項１に記載の方法。
【請求項４】
端末によって、伝送リソース利用度しきい値を決定する前記ステップは、
前記端末によって、前記第１の時間期間の始まりの瞬間において前記伝送リソース利用度しきい値を決定するステップを含む請求項１に記載の方法。
【請求項５】
前記第１の時間期間の前記始まりの瞬間は、前記端末がリソース選択またはリソース再選択を実行する瞬間である請求項１に記載の方法。
【請求項６】
前記第１の時間期間の前記始まりの瞬間は、前記端末のカウンタの値がゼロである瞬間であり、前記カウンタの前記値は、前記プリセット時間期間における前記伝送対象データパケットの量を示すために使用される請求項１に記載の方法。
【請求項７】
前記第１の時間期間の前記始まりの瞬間は、前記伝送対象データパケットが前記端末の論理チャネルにマップされる瞬間である請求項１に記載の方法。
【請求項８】
前記伝送対象データパケットは、セミパーシステント伝送（ＳＰＴ）サービスのデータパケットであり、前記伝送対象データパケットが属する前記ＳＰＴサービスは、少なくとも１つのＳＰＴサービスを含む請求項１に記載の方法。
【請求項９】
前記伝送対象データパケットが属する前記ＳＰＴサービスは、複数のＳＰＴサービスを含み、
前記端末によって、前記ターゲット伝送リソース上で前記伝送対象データパケットを送信する前記ステップは、
前記端末によって、前記複数のＳＰＴサービスのうちの少なくともいくつかのデータパケットを前記ターゲット伝送リソース上で前記複数のＳＰＴサービスの優先度の降順で送信するステップを含む請求項８に記載の方法。
【請求項１０】
前記伝送対象データパケットが属する前記ＳＰＴサービスは、前記複数のＳＰＴサービスを含み、前記方法は、
前記端末によって、前記複数のＳＰＴサービスのうちで優先度しきい値よりも高い優先度を有するＳＰＴサービスを伝送するために必要とされる伝送リソースの利用度が前記伝送リソース利用度しきい値よりも高いと決定するステップと、
前記端末によって、要求情報を基地局へ送信するステップであって、前記要求情報は、前記複数のＳＰＴサービスのうちで前記優先度しきい値よりも高い優先度を有する前記ＳＰＴサービスに伝送リソースを割り当てるように前記基地局に要求するために使用される、ステップとをさらに含む請求項９に記載の方法。
【請求項１１】
前記方法は、
前記端末によって前記リソース利用度に基づいて、前記伝送対象データパケットを伝送するための伝送パラメータを入手するステップをさらに含み、
前記端末によって、前記ターゲット伝送リソース上で前記伝送対象データパケットを送信する前記ステップは、
前記端末によって、前記伝送パラメータを使用することによって前記ターゲット伝送リソース上で前記伝送対象データパケットを送信するステップを含む請求項１乃至１０のいずれか一項に記載の方法。
【請求項１２】
前記端末によって、前記伝送リソース利用度しきい値に基づいて前記リソースプールから第１の時間期間におけるターゲット伝送リソースを選択する前記ステップは、
前記端末によって、前記伝送リソース利用度しきい値と、前記伝送対象データパケットを伝送するための前記伝送パラメータとに基づいて前記リソースプールから前記第１の時間期間における前記ターゲット伝送リソースを選択するステップを含む請求項１１に記載の方法。
【請求項１３】
前記第１の時間期間において、前記リソース利用度は変わるが、前記端末は、前記リソースプールから伝送リソースを再選択しない請求項１乃至１２のいずれか一項に記載の方法。
【請求項１４】
データパケット伝送機器であって、
伝送リソース利用度しきい値を決定するように構成されている決定ユニットであって、前記伝送リソース利用度しきい値は、プリセット時間期間においてリソースプール内の伝送リソースを使用することによって伝送対象データパケットを伝送するための最大の伝送リソース利用度を示し、前記伝送リソース利用度しきい値は、前記リソースプール内の前記伝送リソースのリソース利用度によって決定される、決定ユニットと、
前記決定ユニットによって決定された前記伝送リソース利用度しきい値に基づいて前記リソースプールから第１の時間期間におけるターゲット伝送リソースを選択するように構成されている選択ユニットであって、第２の時間期間において前記機器によって使用される前記リソースプール内の前記伝送リソースの伝送リソース利用度が前記伝送リソース利用度しきい値以下であり、前記第２の時間期間は、前記第１の時間期間を含み、前記第１の時間期間の時間の長さは、前記伝送対象データパケットの伝送期間の時間の長さよりも大きい、選択ユニットと、
前記選択ユニットによって選択された前記ターゲット伝送リソース上で前記伝送対象データパケットを送信するように構成されている送信ユニットとを含む機器。
【請求項１５】
前記第２の時間期間は、前記第１の時間期間と同じである請求項１４に記載の機器。
【請求項１６】
前記第２の時間期間の終わりの瞬間は、前記第１の時間期間の終わりの瞬間と同じである請求項１４に記載の機器。
【請求項１７】
前記決定ユニットは、前記第１の時間期間の始まりの瞬間において前記伝送リソース利用度しきい値を決定するように特に構成されている請求項１４に記載の機器。
【請求項１８】
前記第１の時間期間の前記始まりの瞬間は、前記機器がリソース選択またはリソース再選択を実行する瞬間である請求項１４に記載の機器。
【請求項１９】
前記第１の時間期間の前記始まりの瞬間は、前記機器のカウンタの値がゼロである瞬間であり、前記カウンタの前記値は、前記プリセット時間期間における前記伝送対象データパケットの量を示すために使用される請求項１４に記載の機器。
【請求項２０】
前記第１の時間期間の前記始まりの瞬間は、前記伝送対象データパケットが前記機器の論理チャネルにマップされる瞬間である請求項１４に記載の機器。
【請求項２１】
前記伝送対象データパケットは、セミパーシステント伝送（ＳＰＴ）サービスのデータパケットであり、前記伝送対象データパケットが属する前記ＳＰＴサービスは、少なくとも１つのＳＰＴサービスを含む請求項１４に記載の機器。
【請求項２２】
前記伝送対象データパケットが属する前記ＳＰＴサービスは、複数のＳＰＴサービスを含み、
前記送信ユニットは、前記複数のＳＰＴサービスのうちの少なくともいくつかのデータパケットを前記ターゲット伝送リソース上で前記複数のＳＰＴサービスの優先度の降順で送信するように特に構成されている請求項２１に記載の機器。
【請求項２３】
前記伝送対象データパケットが属する前記ＳＰＴサービスは、前記複数のＳＰＴサービスを含み、
前記決定ユニットは、前記複数のＳＰＴサービスのうちで優先度しきい値よりも高い優先度を有するＳＰＴサービスを伝送するために必要とされる伝送リソースの利用度が前記伝送リソース利用度しきい値よりも高いと決定するようにさらに構成されており、
前記送信ユニットは、要求情報を基地局へ送信するようにさらに構成されており、前記要求情報は、前記複数のＳＰＴサービスのうちで前記優先度しきい値よりも高い優先度を有する前記ＳＰＴサービスに伝送リソースを割り当てるように前記基地局に要求するために使用される請求項２２に記載の機器。
【請求項２４】
前記機器は、
前記リソース利用度に基づいて、前記伝送対象データパケットを伝送するための伝送パラメータを入手するように構成されている入手ユニットをさらに含み、
前記送信ユニットは、前記伝送パラメータを使用することによって前記ターゲット伝送リソース上で前記伝送対象データパケットを送信するように特に構成されている請求項１４乃至２３のいずれか一項に記載の機器。
【請求項２５】
前記選択ユニットは、前記伝送リソース利用度しきい値と、前記伝送対象データパケットを伝送するための前記伝送パラメータとに基づいて前記リソースプールから前記第１の時間期間における前記ターゲット伝送リソースを選択するように特に構成されている請求項２４に記載の機器。
【請求項２６】
前記第１の時間期間において、前記リソース利用度は変わるが、前記機器は、前記リソースプールから伝送リソースを再選択しない請求項１４乃至２５のいずれか一項に記載の機器。
【請求項２７】
プログラムが記録されたコンピュータ可読記憶媒体であって、
前記プログラムはコンピュータに請求項１乃至１３のいずれか一項に記載の方法を実行させるコンピュータ可読記憶媒体。
【請求項２８】
データパケット伝送機器であって、
１または複数のプロセッサと、
前記１または複数のプロセッサによって実行された時に前記機器に請求項１乃至１３のいずれか一項に記載の方法を実行させるコンピュータ命令を記憶するための非一時的メモリとを備える機器。
【手続補正２】
【補正対象書類名】明細書
【補正対象項目名】全文
【補正方法】変更
【補正の内容】
【発明の詳細な説明】
【技術分野】
【０００１】
本出願は、通信分野に関連しており、より具体的には、データパケット伝送方法および端末に関連している。
【背景技術】
【０００２】
現在の通信システムにおいては、通信システムにアクセスする大量の端末がある場合には、通信システムは混雑（輻輳）することがあり、結果として、通信システムの全体的なパフォーマンスが劣化する。通信システムのパフォーマンスを確保するために、輻輳制御メカニズムが導入されている。輻輳制御メカニズムがアクティブ化されている場合には、端末は、セミパーシステント伝送（Ｓｅｍｉ−Ｐｅｒｓｉｓｔｅｎｔ  Ｔｒａｎｓｍｉｓｓｉｏｎ、ＳＰＴ：半永続的な伝送）様式でデータパケットが伝送される複数の伝送期間において、毎回、ＳＰＴサービスのデータパケットを伝送する前に、現在のリソース利用度（たとえば、チャネルビジー率（Ｃｈａｎｎｅｌ  Ｂｕｓｙ  Ｒａｔｉｏ、ＣＢＲ））を測定することを必要とする。加えて、端末はさらに、同じ伝送リソースを引き続き使用してＳＰＴサービスのデータパケットを伝送することが伝送リソース利用度しきい値（たとえば、チャネルリソース利用度（Ｃｈａｎｎｅｌ  Ｒｅｓｏｕｒｃｅ  Ｕｔｉｌｉｚａｔｉｏｎ、ＣＲ）限界）を超えるかどうかを決定するために、ＳＰＴサービスのデータパケットが伝送された伝送期間における伝送リソース利用度を決定することを必要とする。同じ伝送リソースを引き続き使用してＳＰＴサービスのデータパケットを伝送することのための伝送リソース利用度と、ＳＰＴサービスのデータパケットを伝送したことのための伝送リソース利用度との合計が、伝送リソース利用度しきい値を超える場合には、端末は、現在のＳＰＴサービスのデータパケットを破棄し、またはリソース再選択を実行し、それによって、伝送リソース利用度が伝送リソース利用度しきい値以下になるように伝送リソース利用度を低減する。
【０００３】
しかしながら、輻輳制御メカニズムにおいては、端末は、それぞれのＳＰＴサービスの伝送期間におけるリソース利用度を測定すること、それぞれの測定されたリソース利用度に基づいて伝送リソース利用度しきい値を決定すること、そしてさらに伝送リソース利用度しきい値に基づいて、データパケットを伝送するためのターゲット伝送リソースを決定することを必要とする。言い換えれば、輻輳制御メカニズムにおいては、端末がターゲット伝送リソースを決定するオペレーション手順が比較的複雑である。
【発明の概要】
【発明が解決しようとする課題】
【０００４】
本出願は、輻輳制御メカニズムにおいて端末がターゲット伝送リソースを決定するオペレーション手順を簡略化する、データパケット伝送方法および端末を提供する。
【課題を解決するための手段】
【０００５】
第１の態様によれば、本出願は、端末によって、伝送リソース利用度しきい値を決定するステップであって、伝送リソース利用度しきい値は、プリセット時間期間においてリソースプール内の伝送リソースを使用することによって伝送対象データパケットを伝送するための最大の伝送リソース利用度を示し、伝送リソース利用度しきい値は、リソースプール内の伝送リソースのリソース利用度によって決定される、ステップと、端末によって、伝送リソース利用度しきい値に基づいてリソースプールから第１の時間期間におけるターゲット伝送リソースを、第２の時間期間において端末によって使用されるリソースプール内の伝送リソースの伝送リソース利用度が伝送リソース利用度しきい値以下になるように選択するステップであって、第２の時間期間は、第１の時間期間を含み、第１の時間期間の時間の長さは、伝送対象データパケットの伝送期間の時間の長さよりも大きい、ステップと、端末によって、ターゲット伝送リソース上で伝送対象データパケットを送信するステップとを含むデータパケット伝送方法を提供する。
【０００６】
本出願のこの実施形態においては、端末は、第１の時間期間において伝送リソース利用度しきい値を使用することによってターゲット伝送リソースを選択し得る。具体的には、端末は、期間としてデータパケットの伝送期間を使用してリソース利用度を定期的に測定することを必要としなくてよく、それによって、端末がデータパケットのそれぞれの伝送期間におけるリソース利用度を測定することを必要とするという従来技術における問題を回避し、輻輳制御メカニズムにおいて端末がターゲット伝送リソースを決定するオペレーション手順を簡略化する。
【０００７】
任意選択で、第１の時間期間は、伝送対象データパケットの複数の伝送期間を含む。
【０００８】
本出願のこの実施形態においては、第１の時間期間は、伝送対象データパケットを伝送するための複数の伝送期間を含み得る。端末は、第１の時間期間のリソース利用度に基づいて第１の時間期間全体の伝送リソース利用度しきい値を決定し得、それによって、端末がそれぞれのデータパケットの伝送期間におけるリソース利用度を測定すること、およびそのリソース利用度に基づいて伝送期間の伝送リソース利用度しきい値を決定することを必要とするという従来技術における問題を回避し、輻輳制御メカニズムにおいて端末がデータパケットを伝送するオペレーション手順を簡略化する。
【０００９】
さらに、１つの第１の時間期間において、１つの伝送リソース利用度しきい値が使用される。その第１の時間期間においては、その伝送リソース利用度しきい値は、リソース利用に伴って変わらない。これは、次のケースを回避する。従来技術においては、リソース利用における変化が、端末の伝送リソース利用度しきい値の減少を引き起こし、端末が引き続き同じ伝送リソースを使用してデータパケットを送信すると、伝送リソース利用度が、変化した伝送リソース利用度しきい値よりも高くなる場合があり、この場合端末は、そのデータパケットを破棄する。結果として、破棄されたデータパケットをもともと伝送するための伝送リソースがアイドルになり、別の端末が、誤ってその伝送リソースを利用可能な伝送リソースとみなし、次いでその伝送リソース上でデータパケットを定期的に伝送してしまい、最終的には伝送コンフリクトを引き起こす。
【００１０】
加えて、１つの第１の時間期間において、１つの伝送リソース利用度しきい値が使用される。その第１の時間期間においては、その伝送リソース利用度しきい値は、リソース利用に伴って変わらない。したがって、データパケット伝送プロセスにおいて端末によって実行されるリソース再選択の時間の量が、ある程度低減され、それによってシステム全体における伝送リソース利用度の安定性を改善する。これは、次のケースを回避する。従来技術においては、リソース利用における変化が、端末の伝送リソース利用度しきい値の減少を引き起こし、端末が引き続き同じ伝送リソースを使用してデータパケットを送信すると、伝送リソース利用度が、変化した伝送リソース利用度しきい値よりも高くなる場合があり、この場合端末は、リソース再選択を実行するようにトリガーされる。結果として、端末は、データパケット伝送プロセスにおいてリソース再選択を頻繁に実行し、それによってシステム全体における伝送リソース利用度の安定性が低下する。
【００１１】
任意選択で、第２の時間期間は、第１の時間期間と同じである。
【００１２】
任意選択で、第２の時間期間は、第１の時間期間と同じであり、第１の時間の時間の長さは、予約期間の時間の長さである。第１の時間期間は、伝送対象データパケットの複数の伝送期間を含む。
【００１３】
本出願のこの実施形態においては、予約期間は、伝送対象データパケットを伝送するための複数の伝送期間を含み得る。端末は、予約期間のリソース利用度に基づいて予約期間全体の伝送リソース利用度しきい値を決定し得、それによって、端末がそれぞれのデータパケットの伝送期間におけるリソース利用度を測定すること、およびそのリソース利用度に基づいて伝送期間の伝送リソース利用度しきい値を決定することを必要とするという従来技術における問題を回避し、輻輳制御メカニズムにおいて端末がデータパケットを伝送するオペレーション手順を簡略化する。
【００１４】
さらに、１つの予約期間において、１つの伝送リソース利用度しきい値が使用される。その予約期間においては、その伝送リソース利用度しきい値は、リソース利用に伴って変わらない。これは、次のケースを回避する。従来技術においては、リソース利用における変化が、端末の伝送リソース利用度しきい値の減少を引き起こし、端末が引き続き同じ伝送リソースを使用してデータパケットを送信すると、伝送リソース利用度が、変化した伝送リソース利用度しきい値よりも高くなる場合があり、この場合端末は、そのデータパケットを破棄する。結果として、破棄されたデータパケットをもともと伝送するための伝送リソースがアイドルになり、別の端末が、誤ってその伝送リソースを利用可能な伝送リソースとみなし、次いでその伝送リソース上でデータパケットを定期的に伝送してしまい、最終的には伝送コンフリクトを引き起こす。
【００１５】
加えて、１つの予約期間において、１つの伝送リソース利用度しきい値が使用される。その予約期間においては、その伝送リソース利用度しきい値は、リソース利用に伴って変わらない。したがって、データパケット伝送プロセスにおいて端末によって実行されるリソース再選択の時間の量が、ある程度低減され、それによってシステム全体における伝送リソース利用度の安定性を改善する。これは、次のケースを回避する。従来技術においては、リソース利用における変化が、端末の伝送リソース利用度しきい値の減少を引き起こし、端末が引き続き同じ伝送リソースを使用してデータパケットを送信すると、伝送リソース利用度が、変化した伝送リソース利用度しきい値よりも高くなる場合があり、この場合端末は、リソース再選択を実行するようにトリガーされる。結果として、端末は、データパケット伝送プロセスにおいてリソース再選択を頻繁に実行し、それによってシステム全体における伝送リソース利用度の安定性が低下する。
【００１６】
任意選択で、第２の時間期間の終わりの瞬間は、第１の時間期間の終わりの瞬間と同じである。
【００１７】
任意選択で、端末によって、伝送リソース利用度しきい値を決定するステップは、端末によって、第１の時間期間の始まりの瞬間において伝送リソース利用度しきい値を決定するステップを含む。
【００１８】
任意選択で、第１の時間期間の始まりの瞬間は、端末がリソース選択またはリソース再選択を実行する瞬間である。
【００１９】
任意選択で、第１の時間期間の始まりの瞬間は、端末のカウンタの値がゼロである瞬間であり、カウンタの値は、プリセット時間期間における伝送対象データパケットの量を示すために使用される。
【００２０】
さらに、カウンタは、サイドリンクリソース再選択カウンタ（Ｓｉｄｅｌｉｎｋ  ｒｅｓｏｕｒｃｅ  ｒｅｓｅｌｅｃｔｉｏｎ  ｃｏｕｎｔｅｒ）であり得る。
【００２１】
任意選択で、第１の時間期間の始まりの瞬間は、伝送対象データパケットが端末の論理チャネルにマップされる瞬間である。
【００２２】
任意選択で、リソース利用度はＣＢＲであり得、伝送リソース利用度しきい値はＣＲ限界であり得る。
【００２３】
任意選択で、伝送対象データパケットは、定期的に伝送されるデータパケット、たとえば、ＳＰＴサービスのデータパケットであり得る。
【００２４】
第１の態様の可能な実施態様においては、伝送対象データパケットは、セミパーシステント伝送ＳＰＴサービスのデータパケットであり、伝送対象データパケットが属するＳＰＴサービスは、少なくとも１つのＳＰＴサービスを含む。
【００２５】
第１の時間期間においては、少なくとも１つのＳＰＴサービスのデータパケットどうしが、１つの伝送リソース利用度しきい値を共有し、それによって、それぞれのデータパケット伝送において伝送リソース利用度しきい値が決定されることが必要であるという従来技術における問題を回避し、輻輳制御メカニズムにおいて端末がデータパケットを伝送するオペレーション手順を簡略化する。
【００２６】
第１の態様の可能な実施態様においては、伝送対象データパケットが属するＳＰＴサービスは、複数のＳＰＴサービスを含み、端末によって、ターゲット伝送リソース上で伝送対象データパケットを送信するステップは、端末によって、複数のＳＰＴサービスのうちの少なくともいくつかのデータパケットをターゲット伝送リソース上で複数のＳＰＴサービスの優先度の降順で送信するステップを含む。
【００２７】
複数のＳＰＴサービスのうちの少なくともいくつかのデータパケットを複数のＳＰＴサービスの優先度の降順で送信することは、伝送リソース利用度しきい値を満たし、高い優先度を有するＳＰＴサービスのデータパケットが最初に送信されることを確実にして、高い優先度を有するデータパケットの伝送要件を満たす。
【００２８】
第１の態様の可能な実施態様においては、この方法は、端末によって、複数のＳＰＴサービスのうちで優先度しきい値よりも高い優先度を有するＳＰＴサービスを伝送するために必要とされる伝送リソースの利用度が伝送リソース利用度しきい値よりも高いと決定するステップと、端末によって、要求情報を基地局へ送信するステップであって、要求情報は、複数のＳＰＴサービスのうちで優先度しきい値よりも高い優先度を有するＳＰＴサービスに伝送リソースを割り当てるように基地局に要求するために使用される、ステップとをさらに含む。
【００２９】
要求情報を基地局へ送信すること、および複数のＳＰＴサービスのうちで優先度しきい値よりも高い優先度を有するＳＰＴサービスに伝送リソースを割り当てるように基地局に要求することは、伝送リソース利用度しきい値を満たし、高い優先度を有するＳＰＴサービスのデータパケットが最初に送信されることを確実にして、高い優先度を有するデータパケットの伝送要件を満たす。
【００３０】
第１の態様の可能な実施態様においては、この方法は、端末によってリソース利用度に基づいて、伝送対象データパケットを伝送するための伝送パラメータを入手するステップをさらに含み、端末によって、ターゲット伝送リソース上で伝送対象データパケットを送信するステップは、端末によって、伝送パラメータを使用することによってターゲット伝送リソース上で伝送対象データパケットを送信するステップを含む。
【００３１】
第１の態様の可能な実施態様においては、端末によって、伝送リソース利用度しきい値に基づいてリソースプールからターゲット伝送リソースを選択するステップは、端末によって、伝送リソース利用度しきい値と、伝送対象データパケットを伝送するための伝送パラメータとに基づいてリソースプールからターゲット伝送リソースを選択するステップを含む。
【００３２】
端末によって、伝送リソース利用度しきい値と、伝送対象データパケットを伝送するための伝送パラメータとに基づいてリソースプールからターゲット伝送リソースを選択することは、伝送リソース利用度しきい値を満たし、選択されるターゲット伝送リソースをより適切にする。
【００３３】
第１の態様の可能な実施態様においては、第１の時間期間において、伝送リソース利用度しきい値は減少するが、端末は、リソースプールから伝送リソースを再選択しない。
【００３４】
第１の態様の可能な実施態様においては、端末がリソース利用度に基づいて伝送リソース利用度しきい値を入手することは、端末によって、リソース利用度、およびリソース利用度と伝送リソース利用度しきい値との間におけるマッピング関係に基づいて伝送リソース利用度しきい値を決定することを含む。
【００３５】
端末は、リソース利用度、およびリソース利用度と伝送リソース利用度しきい値との間におけるマッピング関係に基づいて伝送リソース利用度しきい値を独立して決定して、端末と基地局との間におけるシグナリング対話を低減し、端末が伝送リソース利用度しきい値を決定する際のシグナリングオーバーヘッドを低減する。
【００３６】
第１の態様の可能な実施態様においては、端末がリソース利用度に基づいて伝送リソース利用度しきい値を入手することは、端末によって、リソース利用度を基地局へ送信することと、端末によって、基地局によって送信された伝送リソース利用度しきい値を受信することとを含む。
【００３７】
伝送リソース利用度しきい値は、端末と基地局との間におけるシグナリング対話を通じて決定される。これは、伝送リソース利用度しきい値が決定される際の端末の能力に対する要件を低減する。
【００３８】
第２の態様によれば、本出願は、端末を提供する。この端末は、伝送リソース利用度しきい値を決定するように構成されている決定ユニットであって、伝送リソース利用度しきい値は、プリセット時間期間においてリソースプール内の伝送リソースを使用することによって伝送対象データパケットを伝送するための最大の伝送リソース利用度を示し、伝送リソース利用度しきい値は、リソースプール内の伝送リソースのリソース利用度によって決定される、決定ユニットと、決定ユニットによって決定された伝送リソース利用度しきい値に基づいてリソースプールから第１の時間期間におけるターゲット伝送リソースを、第２の時間期間において端末によって使用されるリソースプール内の伝送リソースの伝送リソース利用度が伝送リソース利用度しきい値以下になるように選択するように構成されている選択ユニットであって、第２の時間期間は、第１の時間期間を含み、第１の時間期間の時間の長さは、伝送対象データパケットの伝送期間の時間の長さよりも大きい、選択ユニットと、選択ユニットによって選択されたターゲット伝送リソース上で伝送対象データパケットを送信するように構成されている送信ユニットとを含む。
【００３９】
本出願のこの実施形態においては、端末は、第１の時間期間において伝送リソース利用度しきい値を使用することによってターゲット伝送リソースを選択し得る。具体的には、端末は、期間としてデータパケットの伝送期間を使用してリソース利用度を定期的に測定することを必要としなくてよく、それによって、端末がデータパケットのそれぞれの伝送期間におけるリソース利用度を測定することを必要とするという従来技術における問題を回避し、輻輳制御メカニズムにおいて端末がターゲット伝送リソースを決定するオペレーション手順を簡略化する。
【００４０】
任意選択で、第１の時間期間は、伝送対象データパケットの複数の伝送期間を含む。
【００４１】
本出願のこの実施形態においては、第１の時間期間は、伝送対象データパケットを伝送するための複数の伝送期間を含み得る。端末は、第１の時間期間のリソース利用度に基づいて第１の時間期間全体の伝送リソース利用度しきい値を決定し得、それによって、端末がそれぞれのデータパケットの伝送期間におけるリソース利用度を測定すること、およびそのリソース利用度に基づいて伝送期間の伝送リソース利用度しきい値を決定することを必要とするという従来技術における問題を回避し、輻輳制御メカニズムにおいて端末がデータパケットを伝送するオペレーション手順を簡略化する。
【００４２】
さらに、１つの第１の時間期間において、１つの伝送リソース利用度しきい値が使用される。その第１の時間期間においては、その伝送リソース利用度しきい値は、リソース利用に伴って変わらない。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、そのデータパケットを破棄する。結果として、破棄されたデータパケットをもともと伝送するための伝送リソースがアイドルになり、別の端末が、誤ってその伝送リソースを利用可能な伝送リソースとみなし、次いでその伝送リソース上でデータパケットを定期的に伝送し、最終的には伝送コンフリクトを引き起こす。
【００４３】
加えて、１つの第１の時間期間において、１つの伝送リソース利用度しきい値が使用される。その第１の時間期間においては、その伝送リソース利用度しきい値は、リソース利用に伴って変わらない。したがって、データパケット伝送プロセスにおいて端末によって実行されるリソース再選択の時間の量が、ある程度低減され、それによってシステム全体における伝送リソース利用度の安定性を改善する。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、リソース再選択を実行するようにトリガーされる。結果として、端末は、データパケット伝送プロセスにおいてリソース再選択を頻繁に実行し、それによってシステム全体における伝送リソース利用度の安定性を低減する。
【００４４】
任意選択で、第２の時間期間は、第１の時間期間と同じである。
【００４５】
任意選択で、第２の時間期間は、第１の時間期間と同じであり、第１の時間の時間の長さは、予約期間の時間の長さである。第１の時間期間は、伝送対象データパケットの複数の伝送期間を含む。
【００４６】
本出願のこの実施形態においては、予約期間は、伝送対象データパケットを伝送するための複数の伝送期間を含み得る。端末は、予約期間のリソース利用度に基づいて予約期間全体の伝送リソース利用度しきい値を決定し得、それによって、端末がそれぞれのデータパケットの伝送期間におけるリソース利用度を測定すること、およびそのリソース利用度に基づいて伝送期間の伝送リソース利用度しきい値を決定することを必要とするという従来技術における問題を回避し、輻輳制御メカニズムにおいて端末がデータパケットを伝送するオペレーション手順を簡略化する。
【００４７】
さらに、１つの予約期間において、１つの伝送リソース利用度しきい値が使用される。その予約期間においては、その伝送リソース利用度しきい値は、リソース利用に伴って変わらない。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、そのデータパケットを破棄する。結果として、破棄されたデータパケットをもともと伝送するための伝送リソースがアイドルになり、別の端末が、誤ってその伝送リソースを利用可能な伝送リソースとみなし、次いでその伝送リソース上でデータパケットを定期的に伝送し、最終的には伝送コンフリクトを引き起こす。
【００４８】
加えて、１つの予約期間において、１つの伝送リソース利用度しきい値が使用される。その予約期間においては、その伝送リソース利用度しきい値は、リソース利用に伴って変わらない。したがって、データパケット伝送プロセスにおいて端末によって実行されるリソース再選択の時間の量が、ある程度低減され、それによってシステム全体における伝送リソース利用度の安定性を改善する。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、リソース再選択を実行するようにトリガーされる。結果として、端末は、データパケット伝送プロセスにおいてリソース再選択を頻繁に実行し、それによってシステム全体における伝送リソース利用度の安定性を低減する。
【００４９】
任意選択で、第２の時間期間の終わりの瞬間は、第１の時間期間の終わりの瞬間と同じである。
【００５０】
任意選択で、第１の時間期間の始まりの瞬間は、端末がリソース選択またはリソース再選択を実行する瞬間である。
【００５１】
任意選択で、第１の時間期間の始まりの瞬間は、端末のカウンタの値がゼロである瞬間であり、カウンタの値は、プリセット時間期間における伝送対象データパケットの量を示すために使用される。
【００５２】
さらに、カウンタは、サイドリンクリソース再選択カウンタ（Ｓｉｄｅｌｉｎｋ  ｒｅｓｏｕｒｃｅ  ｒｅｓｅｌｅｃｔｉｏｎ  ｃｏｕｎｔｅｒ）であり得る。
【００５３】
任意選択で、第１の時間期間の始まりの瞬間は、伝送対象データパケットが端末の論理チャネルにマップされる瞬間である。
【００５４】
任意選択で、リソース利用度はＣＢＲであり得、伝送リソース利用度しきい値はＣＲ限界であり得る。
【００５５】
任意選択で、伝送対象データパケットは、定期的に伝送されるデータパケット、たとえば、ＳＰＴサービスのデータパケットであり得る。
【００５６】
第２の態様の可能な実施態様においては、伝送対象データパケットは、セミパーシステント伝送ＳＰＴサービスのデータパケットであり、伝送対象データパケットが属するＳＰＴサービスは、少なくとも１つのＳＰＴサービスを含む。
【００５７】
第１の時間期間においては、少なくとも１つのＳＰＴサービスのデータパケットどうしが、１つの伝送リソース利用度しきい値を共有し、それによって、それぞれのデータパケット伝送において伝送リソース利用度しきい値が決定されることが必要であるという従来技術における問題を回避し、輻輳制御メカニズムにおいて端末がデータパケットを伝送するオペレーション手順を簡略化する。
【００５８】
第２の態様の可能な実施態様においては、伝送対象データパケットが属するＳＰＴサービスは、複数のＳＰＴサービスを含み、送信ユニットは、複数のＳＰＴサービスのうちの少なくともいくつかのデータパケットをターゲット伝送リソース上で複数のＳＰＴサービスの優先度の降順で送信するように特に構成されている。
【００５９】
複数のＳＰＴサービスのうちの少なくともいくつかのデータパケットを複数のＳＰＴサービスの優先度の降順で送信することは、伝送リソース利用度しきい値を満たし、高い優先度を有するＳＰＴサービスのデータパケットが最初に送信されることを確実にして、高い優先度を有するデータパケットの伝送要件を満たす。
【００６０】
第２の態様の可能な実施態様においては、伝送対象データパケットが属するＳＰＴサービスは、複数のＳＰＴサービスを含み、決定ユニットは、複数のＳＰＴサービスのうちで優先度しきい値よりも高い優先度を有するＳＰＴサービスを伝送するために必要とされる伝送リソースの利用度が伝送リソース利用度しきい値よりも高いと決定するようにさらに構成されており、送信ユニットは、要求情報を基地局へ送信するようにさらに構成されており、要求情報は、複数のＳＰＴサービスのうちで優先度しきい値よりも高い優先度を有するＳＰＴサービスに伝送リソースを割り当てるように基地局に要求するために使用される。
【００６１】
要求情報を基地局へ送信すること、および複数のＳＰＴサービスのうちで優先度しきい値よりも高い優先度を有するＳＰＴサービスに伝送リソースを割り当てるように基地局に要求することは、伝送リソース利用度しきい値を満たし、高い優先度を有するＳＰＴサービスのデータパケットが最初に送信されることを確実にして、高い優先度を有するデータパケットの伝送要件を満たす。
【００６２】
第２の態様の可能な実施態様においては、端末は、リソース利用度に基づいて、伝送対象データパケットを伝送するための伝送パラメータを入手するように構成されている入手ユニットをさらに含み、送信ユニットは、伝送パラメータを使用することによってターゲット伝送リソース上で伝送対象データパケットを送信するように特に構成されている。
【００６３】
第２の態様の可能な実施態様においては、選択ユニットは、伝送リソース利用度しきい値と、伝送対象データパケットを伝送するための伝送パラメータとに基づいてリソースプールから第１の時間期間におけるターゲット伝送リソースを選択するように特に構成されている。
【００６４】
端末によって、伝送リソース利用度しきい値と、伝送対象データパケットを伝送するための伝送パラメータとに基づいてリソースプールからターゲット伝送リソースを選択することは、伝送リソース利用度しきい値を満たし、選択されるターゲット伝送リソースをより適切にする。
【００６５】
第２の態様の可能な実施態様においては、入手ユニットは、リソース利用度、およびリソース利用度と伝送リソース利用度しきい値との間におけるマッピング関係に基づいて伝送リソース利用度しきい値を決定するように特に構成されている。
【００６６】
端末は、リソース利用度、およびリソース利用度と伝送リソース利用度しきい値との間におけるマッピング関係に基づいて伝送リソース利用度しきい値を独立して決定して、端末と基地局との間におけるシグナリング対話を低減し、端末が伝送リソース利用度しきい値を決定する際のシグナリングオーバーヘッドを低減する。
【００６７】
第２の態様の可能な実施態様においては、入手ユニットは、リソース利用度を基地局へ送信し、基地局によって送信された伝送リソース利用度しきい値を受信するように特に構成されている。
【００６８】
伝送リソース利用度しきい値は、端末と基地局との間におけるシグナリング対話を通じて決定される。これは、伝送リソース利用度しきい値が決定される際の端末の能力に対する要件を低減する。
【００６９】
第３の態様によれば、本出願は、データパケット伝送端末を提供し、この端末は、メモリ、プロセッサ、入力／出力インターフェース、および通信インターフェースを含む。プロセッサは、伝送リソース利用度しきい値を決定するように構成されており、伝送リソース利用度しきい値は、プリセット時間期間においてリソースプール内の伝送リソースを使用することによって伝送対象データパケットを伝送するための最大の伝送リソース利用度を示し、伝送リソース利用度しきい値は、リソースプール内の伝送リソースのリソース利用度によって決定され、プロセッサは、伝送リソース利用度しきい値に基づいてリソースプールから第１の時間期間におけるターゲット伝送リソースを、第２の時間期間において端末によって使用されるリソースプール内の伝送リソースの伝送リソース利用度が伝送リソース利用度しきい値以下になるように選択するようにさらに構成されており、第２の時間期間は、第１の時間期間を含み、第１の時間期間の時間の長さは、伝送対象データパケットの伝送期間の時間の長さよりも大きい。通信インターフェースは、ターゲット伝送リソース上で伝送対象データパケットを送信するように構成されている。
【００７０】
本出願のこの実施形態においては、端末は、第１の時間期間において伝送リソース利用度しきい値を使用することによってターゲット伝送リソースを選択し得る。具体的には、端末は、期間としてデータパケットの伝送期間を使用してリソース利用度を定期的に測定することを必要としなくてよく、それによって、端末がデータパケットのそれぞれの伝送期間におけるリソース利用度を測定することを必要とするという従来技術における問題を回避し、輻輳制御メカニズムにおいて端末がターゲット伝送リソースを決定するオペレーション手順を簡略化する。
【００７１】
任意選択で、第１の時間期間は、伝送対象データパケットの複数の伝送期間を含む。
【００７２】
本出願のこの実施形態においては、第１の時間期間は、伝送対象データパケットを伝送するための複数の伝送期間を含み得る。端末は、第１の時間期間のリソース利用度に基づいて第１の時間期間全体の伝送リソース利用度しきい値を決定し得、それによって、端末がそれぞれのデータパケットの伝送期間におけるリソース利用度を測定すること、およびそのリソース利用度に基づいて伝送期間の伝送リソース利用度しきい値を決定することを必要とするという従来技術における問題を回避し、輻輳制御メカニズムにおいて端末がデータパケットを伝送するオペレーション手順を簡略化する。
【００７３】
さらに、１つの第１の時間期間において、１つの伝送リソース利用度しきい値が使用される。その第１の時間期間においては、その伝送リソース利用度しきい値は、リソース利用に伴って変わらない。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、そのデータパケットを破棄する。結果として、破棄されたデータパケットをもともと伝送するための伝送リソースがアイドルになり、別の端末が、誤ってその伝送リソースを利用可能な伝送リソースとみなし、次いでその伝送リソース上でデータパケットを定期的に伝送し、最終的には伝送コンフリクトを引き起こす。
【００７４】
加えて、１つの第１の時間期間において、１つの伝送リソース利用度しきい値が使用される。その第１の時間期間においては、その伝送リソース利用度しきい値は、リソース利用に伴って変わらない。したがって、データパケット伝送プロセスにおいて端末によって実行されるリソース再選択の時間の量が、ある程度低減され、それによってシステム全体における伝送リソース利用度の安定性を改善する。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、リソース再選択を実行するようにトリガーされる。結果として、端末は、データパケット伝送プロセスにおいてリソース再選択を頻繁に実行し、それによってシステム全体における伝送リソース利用度の安定性を低減する。
【００７５】
任意選択で、第２の時間期間は、第１の時間期間と同じである。
【００７６】
任意選択で、第２の時間期間は、第１の時間期間と同じであり、第１の時間の時間の長さは、予約期間の時間の長さである。第１の時間期間は、伝送対象データパケットの複数の伝送期間を含む。
【００７７】
本出願のこの実施形態においては、予約期間は、伝送対象データパケットを伝送するための複数の伝送期間を含み得る。端末は、予約期間のリソース利用度に基づいて予約期間全体の伝送リソース利用度しきい値を決定し得、それによって、端末がそれぞれのデータパケットの伝送期間におけるリソース利用度を測定すること、およびそのリソース利用度に基づいて伝送期間の伝送リソース利用度しきい値を決定することを必要とするという従来技術における問題を回避し、輻輳制御メカニズムにおいて端末がデータパケットを伝送するオペレーション手順を簡略化する。
【００７８】
さらに、１つの予約期間において、１つの伝送リソース利用度しきい値が使用される。その予約期間においては、その伝送リソース利用度しきい値は、リソース利用に伴って変わらない。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、そのデータパケットを破棄する。結果として、破棄されたデータパケットをもともと伝送するための伝送リソースがアイドルになり、別の端末が、誤ってその伝送リソースを利用可能な伝送リソースとみなし、次いでその伝送リソース上でデータパケットを定期的に伝送し、最終的には伝送コンフリクトを引き起こす。
【００７９】
加えて、１つの予約期間において、１つの伝送リソース利用度しきい値が使用される。その予約期間においては、その伝送リソース利用度しきい値は、リソース利用に伴って変わらない。したがって、データパケット伝送プロセスにおいて端末によって実行されるリソース再選択の時間の量が、ある程度低減され、それによってシステム全体における伝送リソース利用度の安定性を改善する。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、リソース再選択を実行するようにトリガーされる。結果として、端末は、データパケット伝送プロセスにおいてリソース再選択を頻繁に実行し、それによってシステム全体における伝送リソース利用度の安定性を低減する。
【００８０】
任意選択で、第２の時間期間の終わりの瞬間は、第１の時間期間の終わりの瞬間と同じである。
【００８１】
任意選択で、第１の時間期間の始まりの瞬間は、端末がリソース選択またはリソース再選択を実行する瞬間である。
【００８２】
任意選択で、第１の時間期間の始まりの瞬間は、端末のカウンタの値がゼロである瞬間であり、カウンタの値は、プリセット時間期間における伝送対象データパケットの量を示すために使用される。
【００８３】
さらに、カウンタは、サイドリンクリソース再選択カウンタ（Ｓｉｄｅｌｉｎｋ  ｒｅｓｏｕｒｃｅ  ｒｅｓｅｌｅｃｔｉｏｎ  ｃｏｕｎｔｅｒ）であり得る。
【００８４】
任意選択で、第１の時間期間の始まりの瞬間は、伝送対象データパケットが端末の論理チャネルにマップされる瞬間である。
【００８５】
任意選択で、リソース利用度はＣＢＲであり得、伝送リソース利用度しきい値はＣＲ限界であり得る。
【００８６】
任意選択で、伝送対象データパケットは、定期的に伝送されるデータパケット、たとえば、ＳＰＴサービスのデータパケットであり得る。
【００８７】
第３の態様の可能な実施態様においては、伝送対象データパケットは、セミパーシステント伝送ＳＰＴサービスのデータパケットであり、伝送対象データパケットが属するＳＰＴサービスは、少なくとも１つのＳＰＴサービスを含む。
【００８８】
第１の時間期間においては、少なくとも１つのＳＰＴサービスのデータパケットどうしが、１つの伝送リソース利用度しきい値を共有し、それによって、それぞれのデータパケット伝送において伝送リソース利用度しきい値が決定されることが必要であるという従来技術における問題を回避し、輻輳制御メカニズムにおいて端末がデータパケットを伝送するオペレーション手順を簡略化する。
【００８９】
第３の態様の可能な実施態様においては、伝送対象データパケットが属するＳＰＴサービスは、複数のＳＰＴサービスを含み、通信インターフェースは、複数のＳＰＴサービスのうちの少なくともいくつかのデータパケットをターゲット伝送リソース上で複数のＳＰＴサービスの優先度の降順で送信するように特に構成されている。
【００９０】
複数のＳＰＴサービスのうちの少なくともいくつかのデータパケットを複数のＳＰＴサービスの優先度の降順で送信することは、伝送リソース利用度しきい値を満たし、高い優先度を有するＳＰＴサービスのデータパケットが最初に送信されることを確実にして、高い優先度を有するデータパケットの伝送要件を満たす。
【００９１】
第３の態様の可能な実施態様においては、伝送対象データパケットが属するＳＰＴサービスは、複数のＳＰＴサービスを含み、プロセッサは、複数のＳＰＴサービスのうちで優先度しきい値よりも高い優先度を有するＳＰＴサービスを伝送するために必要とされる伝送リソースの利用度が伝送リソース利用度しきい値よりも高いと決定するようにさらに構成されており、通信インターフェースは、要求情報を基地局へ送信するようにさらに構成されており、要求情報は、複数のＳＰＴサービスのうちで優先度しきい値よりも高い優先度を有するＳＰＴサービスに伝送リソースを割り当てるように基地局に要求するために使用される。
【００９２】
要求情報を基地局へ送信すること、および複数のＳＰＴサービスのうちで優先度しきい値よりも高い優先度を有するＳＰＴサービスに伝送リソースを割り当てるように基地局に要求することは、伝送リソース利用度しきい値を満たし、高い優先度を有するＳＰＴサービスのデータパケットが最初に送信されることを確実にして、高い優先度を有するデータパケットの伝送要件を満たす。
【００９３】
第３の態様の可能な実施態様においては、端末は、リソース利用度に基づいて、伝送対象データパケットを伝送するための伝送パラメータを入手するように構成されている入手ユニットをさらに含み、通信インターフェースは、伝送パラメータを使用することによってターゲット伝送リソース上で伝送対象データパケットを送信するように特に構成されている。
【００９４】
第３の態様の可能な実施態様においては、プロセッサは、伝送リソース利用度しきい値と、伝送対象データパケットを伝送するための伝送パラメータとに基づいてリソースプールから第１の時間期間におけるターゲット伝送リソースを選択するように特に構成されている。
【００９５】
端末によって、伝送リソース利用度しきい値と、伝送対象データパケットを伝送するための伝送パラメータとに基づいてリソースプールからターゲット伝送リソースを選択することは、伝送リソース利用度しきい値を満たし、選択されるターゲット伝送リソースをより適切にする。
【００９６】
第３の態様の可能な実施態様においては、プロセッサは、リソース利用度、およびリソース利用度と伝送リソース利用度しきい値との間におけるマッピング関係に基づいて伝送リソース利用度しきい値を決定するように特に構成されている。
【００９７】
端末は、リソース利用度、およびリソース利用度と伝送リソース利用度しきい値との間におけるマッピング関係に基づいて伝送リソース利用度しきい値を独立して決定して、端末と基地局との間におけるシグナリング対話を低減し、端末が伝送リソース利用度しきい値を決定する際のシグナリングオーバーヘッドを低減する。
【００９８】
第３の態様の可能な実施態様においては、通信インターフェースは、リソース利用度を基地局へ送信し、基地局によって送信された伝送リソース利用度しきい値を受信するようにさらに構成されている。
【００９９】
伝送リソース利用度しきい値は、端末と基地局との間におけるシグナリング対話を通じて決定される。これは、伝送リソース利用度しきい値が決定される際の端末の能力に対する要件を低減する。
【０１００】
第４の態様によれば、本出願は、コンピュータ可読ストレージメディアを提供し、そのコンピュータ可読ストレージメディアは、データパケット伝送方法のプログラムコードを格納するように構成されており、そのプログラムコードは、第１の態様における方法の命令を実行するために使用される。
【図面の簡単な説明】
【０１０１】
【図１】デバイスツーデバイスＤ２Ｄ通信システムに基づいて伝送リソースを決定するための方法の概略図である。
【図２】本出願の実施形態によるデータパケット伝送方法の概略フローチャートである。
【図３】本出願の実施形態による、第１の時間期間と第２の時間期間との間における時間関係の概略図である。
【図４】本出願の実施形態による端末の概略構造図である。
【図５】本出願の別の実施形態による端末の概略構造図である。
【発明を実施するための形態】
【０１０２】
本出願における技術的なソリューションは、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、ワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、ＷＣＤＭＡ）システム、ジェネラルパケットラジオサービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ロングタームエボリューションアドバンスト（Ａｄｖａｎｃｅｄ  ｌｏｎｇ  ｔｅｒｍ  ｅｖｏｌｕｔｉｏｎ、ＬＴＥ−Ａ）システム、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ニューラジオＮＲ（Ｎｅｗ  Ｒａｄｉｏ  Ａｃｃｅｓｓ  Ｔｅｃｈｎｏｌｏｇｙ）、５Ｇ、デバイスツーデバイス（Ｄ２Ｄ）通信システム、またはインターネットオブビークルズ（Ｖ２Ｖ：  Ｖｅｈｉｃｌｅ  ｔｏ  Ｖｅｈｉｃｌｅ）通信システムなどのさまざまな通信システムに適用され得るということを理解されたい。
【０１０３】
本出願の実施形態においては、端末（端末デバイスとも呼ばれる）は、移動局（Ｍｏｂｉｌｅ  Ｓｔａｔｉｏｎ、ＭＳ）、モバイル端末（Ｍｏｂｉｌｅ  Ｔｅｒｍｉｎａｌ）、モバイル電話（Ｍｏｂｉｌｅ  Ｔｅｌｅｐｈｏｎｅ）、ユーザ機器（Ｕｓｅｒ  Ｅｑｕｉｐｍｅｎｔ、ＵＥ）、ハンドセット（ｈａｎｄｓｅｔ）、車載デバイス、ポータブル機器（ｐｏｒｔａｂｌｅ  ｅｑｕｉｐｍｅｎｔ）などを含み得るが、それらには限定されないということをさらに理解されたい。端末デバイスは、無線アクセスネットワーク（Ｒａｄｉｏ  Ａｃｃｅｓｓ  Ｎｅｔｗｏｒｋ、ＲＡＮ）を使用することによって、１つまたは複数のコアネットワークと通信し得る。たとえば、端末デバイスは、モバイル電話（もしくは「セルラー」電話と呼ばれる）、またはワイヤレス通信機能を有するコンピュータであり得、端末デバイスはさらに、ポータブルな、ポケットサイズの、ハンドヘルドの、コンピュータ内蔵の、または車載のモバイル端末であり得る。
【０１０４】
本出願の実施形態においては、基地局は、ＧＳＭもしくはＣＤＭＡにおけるベーストランシーバステーション（Ｂａｓｅ  Ｔｒａｎｓｃｅｉｖｅｒ  Ｓｔａｔｉｏｎ、ＢＴＳ）であり得、ＷＣＤＭＡにおけるＮｏｄｅＢ（ＮｏｄｅＢ）であり得、ＬＴＥにおけるエボルブドＮｏｄｅＢ（ｅｖｏｌｖｅｄ  ＮｏｄｅＢ、ｅＮＢ、もしくはｅ−ＮｏｄｅＢ）であり得、またはＮＲもしくは５ＧのｇＮＢ（ｇＮＢ）であり得る。これは、本出願の実施形態においては特に限定されない。
【０１０５】
理解しやすくするために、デバイスツーデバイスＤ２Ｄ通信システムに基づいて伝送リソースを決定するための方法が、図１を参照しながら簡単に記述されている。
【０１０６】
デバイスツーデバイス（Ｄｅｖｉｃｅ  ｔｏ  Ｄｅｖｉｃｅ、Ｄ２Ｄ）通信テクノロジーにおいては、端末は、別の端末と通信するためにリソースプールから伝送リソースを独立して選択し得る。伝送リソースを選択するプロセスにおいて、端末は、別の端末によって送信されたスケジューリングアサインメント（Ｓｃｈｅｄｕｌｉｎｇ  Ａｓｓｉｇｎｍｅｎｔ、ＳＡ）情報をセンシングウィンドウ（Ｓｅｎｓｉｎｇ  Ｗｉｎｄｏｗ）において感知し得る。ＳＡ情報は、ＳＰＴサービスのデータパケットを伝送するための時間周波数リソース情報、ＳＰＴサービスのデータパケットの伝送期間情報などを示し得る。端末は、別の端末によって送信されたＳＡ情報を感知した感知結果に基づいて、データパケットを伝送するために使用されることが可能である伝送リソース、すなわち、ターゲット伝送リソースを、選択ウィンドウ（Ｓｅｌｅｃｔｉｏｎ  ｗｉｎｄｏｗ）から選択し得る。ターゲット伝送リソースを決定した後に、端末は、ＳＰＴ様式でデータパケットを伝送する。具体的には、端末は、ターゲット伝送リソースを予約し、ＳＰＴの複数の伝送期間においてそのターゲット伝送リソースを使用することによってＳＰＴサービスのデータパケットを送信する。
【０１０７】
端末が伝送リソースを独立して選択する前述の様式に基づくと、大量の端末が、リソースプール内の伝送リソースを使用することによってデータを送信する場合には、通信システムが輻輳することがあり、複数の端末が、ＳＰＴサービスのデータパケットを伝送するためにリソースプールから同じ伝送リソースを選択することがあり、結果として、通信システムの全体的なパフォーマンスが劣化する。通信システムのパフォーマンスを確保するために、輻輳制御メカニズムが導入されている。
【０１０８】
輻輳制御メカニズム１が、基地局によって制御される輻輳制御スキームである。
【０１０９】
ＳＰＴサービスのデータパケットを伝送するプロセスにおいて、端末は、それぞれのＳＰＴサービスのデータパケットの伝送期間のうちで現在の伝送期間におけるＣＢＲを測定すること、および現在の伝送期間におけるＣＢＲの測定結果を基地局へ送信することを必要とする。基地局は、端末によって送信された測定結果に基づいて端末に関して、伝送パラメータセットと、それぞれの伝送パラメータに対応する値の範囲とを構成する。伝送パラメータセットは、伝送電力、変調およびコーディングスキーム（Ｍｏｄｕｌａｔｉｏｎ  ａｎｄ  Ｃｏｄｉｎｇ  Ｓｃｈｅｍｅ、ＭＣＳ）、端末にとって利用可能な物理リソースブロック（Ｐｈｙｓｉｃａｌ  Ｒｅｓｏｕｒｃｅ  Ｂｌｏｃｋ、ＰＲＢ）の量、再伝送時間の量、端末のＳＰＴサービスの伝送期間、およびＣＲ限界のうちの少なくとも１つを含む。端末は、基地局によって送信された伝送パラメータセットを受信し、現在測定されているＣＢＲと、現在の伝送期間におけるサービス優先度とに基づいて伝送リソースを選択し、選択された伝送リソースは、伝送パラメータセット上の制約を満たす。
【０１１０】
輻輳制御メカニズム２が、端末独立モードでの輻輳制御スキームである。
【０１１１】
ＳＰＴサービスのデータパケットを伝送するプロセスにおいて、端末は、それぞれのＳＰＴサービスのデータパケットの伝送期間のうちで現在の伝送期間におけるＣＢＲを測定することを必要とし、端末は、現在の伝送期間において測定されたＣＢＲに基づいて伝送パラメータを直接決定する。伝送パラメータは、伝送電力、ＭＣＳ、端末にとって利用可能なＰＲＢの量、再伝送時間の量、端末のＳＰＴサービスの伝送期間、およびＣＲ限界のうちの少なくとも１つを含み得る。端末は、伝送パラメータを使用することによってターゲット伝送リソース上でＳＰＴサービスのデータパケットを送信する。
【０１１２】
前述の２つの輻輳制御メカニズムにおいて、端末は、それぞれのＳＰＴサービスの伝送期間におけるリソース利用度を測定すること、およびそれぞれの測定されたリソース利用度に基づいて伝送リソース利用度しきい値を入手することを必要とする。使用される伝送リソースの伝送リソース利用度が伝送リソース利用度しきい値を超える場合には、端末は、データパケットを破棄するか、またはリソース再選択を実行する。端末がデータパケットを破棄した場合には、破棄されたデータパケットをもともと伝送するための伝送リソースが、アイドルモードになる。結果として、別の端末が、誤ってその伝送リソースを利用可能な伝送リソースとみなし、次いでその伝送リソース上でその別の端末のデータパケットを定期的に伝送し得る。最終的に、端末および別の端末がそれぞれのデータパケットを同じ伝送リソース上で伝送した場合には、伝送コンフリクトが引き起こされる。端末がリソース再選択を実行する場合には、端末は、データパケットを伝送するプロセスにおいてリソース再選択を頻繁に実行し、それによってシステム全体における伝送リソース利用度の安定性を低減する。
【０１１３】
端末がデータパケットを同じ時間に同じ伝送リソース上で伝送した場合に伝送コンフリクトが引き起こされる可能性をある程度低減するために、またはデータパケット伝送プロセスにおいて端末によって実行されるリソース再選択の時間の量をある程度低減するために、図２を参照しながら、以降では、本出願の実施形態によるデータパケット伝送方法を詳細に記述する。
【０１１４】
図２は、本出願の実施形態によるデータパケット伝送方法の概略フローチャートである。図２は、このデータパケット伝送方法の詳細なステップまたはオペレーションを示しているが、これらのステップまたはオペレーションは例にすぎないということを理解されたい。本出願のこの実施形態においては、図２におけるオペレーションのその他のオペレーションまたは異形がさらに実行され得る。加えて、図２におけるステップは、図２において示されているのとは異なる順序で実行され得、図２におけるすべてのオペレーションが実行されることが必要とは限らないことがある。以降では、図２において示されている方法のステップを詳細に記述している。
【０１１５】
２１０．  端末が、伝送リソース利用度しきい値を決定し、伝送リソース利用度しきい値は、プリセット時間期間においてリソースプール内の伝送リソースを使用することによって伝送対象データパケットを伝送するための最大の伝送リソース利用度を示し、伝送リソース利用度しきい値は、リソースプール内の伝送リソースのリソース利用度によって決定される。
【０１１６】
特に、リソースプールは、複数の伝送リソースを含み得、１つの伝送リソースセットとして理解され得る。
【０１１７】
伝送対象データパケットは、複数のデータパケットを含み得、それらの複数のデータパケットは、同じ伝送リソース上でプリセット期間において端末によって伝送されるデータパケットであり得る。たとえば、伝送対象データパケットは、ＳＰＴサービスのデータパケットであり得る。
【０１１８】
任意選択で、リソースプールは、システムにおける端末にとってのＤ２Ｄ通信のためのリソースプール、たとえば、Ｄ２Ｄ通信のために使用される、およびデータパケットを伝送するために端末によって使用されるリソースプールであり得る。
【０１１９】
任意選択で、伝送リソース利用度しきい値は、ＣＲ限界であり得る。
【０１２０】
特に、上述のＣＲ限界は、チャネルリソース利用度の限界、具体的には、プリセット時間期間において、定期的に伝送されるデータパケット（たとえば、ＳＰＴサービスのデータパケット）を伝送するために端末によって使用されることが可能であるチャネルリソースの最大利用度であり得る。
【０１２１】
任意選択で、ステップ２１０は、端末によって、第１の時間期間の始まりの瞬間において伝送リソース利用度しきい値を決定するステップを含む。
【０１２２】
任意選択で、第１の時間期間の始まりの瞬間は、端末がリソース選択またはリソース再選択を実行する瞬間である。
【０１２３】
任意選択で、第１の時間期間の始まりの瞬間は、端末が、伝送対象データパケットを有する瞬間であり得る。具体的には、第１の時間期間の始まりの瞬間は、伝送対象データパケットが端末の論理チャネルにマップされる瞬間、または伝送対象データパケットが端末のＭＡＣレイヤに到着する到着の瞬間であり得る。
【０１２４】
任意選択で、第１の時間期間の始まりの瞬間は、端末のカウンタの値がゼロである瞬間であり、カウンタの値は、プリセット時間期間における伝送対象データパケットの量を示すために使用される。
【０１２５】
さらに、カウンタは、サイドリンクリソース再選択カウンタ（Ｓｉｄｅｌｉｎｋ  ｒｅｓｏｕｒｃｅ  ｒｅｓｅｌｅｃｔｉｏｎ  ｃｏｕｎｔｅｒ）であり得る。
【０１２６】
特に、カウンタの値は、端末によって伝送されることをさらに必要とする伝送対象データパケットの量、伝送されることを必要とする伝送対象データパケットを端末が有さない瞬間、およびプリセット時間期間においてカウンタの値がゼロである瞬間を示すために使用され得る。
【０１２７】
カウンタの値がゼロである瞬間は、端末がリソース選択またはリソース再選択を実行する瞬間でもあり得るということに留意されたい。
【０１２８】
カウンタの値は、プリセット時間期間における伝送対象データパケットの量を示すために使用され、具体的には、カウンタの値は、プリセット時間期間における伝送対象データパケットの伝送期間の量を示すために使用され得るということをさらに理解されたい。
【０１２９】
２２０．  端末は、伝送リソース利用度しきい値に基づいてリソースプールから第１の時間期間におけるターゲット伝送リソースを、第２の時間期間において端末によって使用されるリソースプール内の伝送リソースの伝送リソース利用度が伝送リソース利用度しきい値以下になるように選択し、第２の時間期間は、第１の時間期間を含み、第１の時間期間の時間の長さは、伝送対象データパケットの伝送期間の時間の長さよりも大きい。
【０１３０】
特に、第２の時間期間が第１の時間期間を含むということは、第１の時間期間が第２の時間期間内の時間期間であるということを意味し得、または第２の時間期間が第１の時間期間と同じであるということを意味し得る。第２の時間期間が第１の時間期間と同じであるということは、第２の時間期間の始まりの瞬間が第１の時間期間の始まりの瞬間と同じであり、第２の時間期間の終わりの瞬間が第１の時間期間の終わりの瞬間と同じであるということを意味し得る。
【０１３１】
任意選択で、第１の時間期間が第２の時間期間と同じである場合には、第１の時間期間の時間の長さは、予約期間の時間の長さであり得、予約期間は、伝送対象データパケットの複数の伝送期間を含み得る。
【０１３２】
特に、端末は、期間として予約期間を使用することによって伝送リソース利用度しきい値を定期的に決定し、予約期間において伝送対象データパケットを伝送し得る。
【０１３３】
端末は、リソース利用度に基づいて予約期間全体の伝送リソース利用度しきい値を決定し得、それによって、端末がそれぞれのデータパケットの伝送期間におけるリソース利用度を測定すること、およびそのリソース利用度に基づいて伝送期間の伝送リソース利用度しきい値を決定することを必要とするという従来技術における問題を回避し、輻輳制御メカニズムにおいて端末がデータパケットを伝送するオペレーション手順を簡略化する。
【０１３４】
さらに、１つの予約期間において、１つの伝送リソース利用度しきい値が使用される。その予約期間においては、その伝送リソース利用度しきい値は、リソース利用に伴って変わらない。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、そのデータパケットを破棄する。結果として、破棄されたデータパケットをもともと伝送するための伝送リソースがアイドルになり、別の端末が、誤ってその伝送リソースを利用可能な伝送リソースとみなし、次いでその伝送リソース上でデータパケットを定期的に伝送し、最終的には伝送コンフリクトを引き起こす。
【０１３５】
加えて、１つの予約期間において、１つの伝送リソース利用度しきい値が使用される。その予約期間においては、その伝送リソース利用度しきい値は、リソース利用に伴って変わらない。したがって、データパケット伝送プロセスにおいて端末によって実行されるリソース再選択の時間の量が、ある程度低減され、それによってシステム全体における伝送リソース利用度の安定性を改善する。これは、次のケースを回避する。従来技術においては、リソース利用度における変化が、端末の伝送リソース利用度しきい値における減少を引き起こし、端末によって同じ伝送リソースを使用することによってデータパケットを引き続き送信すると、伝送リソース利用度が、変化した伝送リソース利用度しきい値よりも高くなる場合、端末は、リソース再選択を実行するようにトリガーされる。結果として、端末は、データパケット伝送プロセスにおいてリソース再選択を頻繁に実行し、それによってシステム全体における伝送リソース利用度の安定性を低減する。
【０１３６】
任意選択で、第１の時間期間は、伝送対象データパケットの複数の伝送期間を含む。
【０１３７】
たとえば、第１の時間期間は、伝送対象データパケットの５個の伝送期間に対応する時間の長さであり得、または第１の時間期間は、伝送対象データパケットの４．５個の伝送期間に対応する時間の長さであり得る。
【０１３８】
任意選択で、第２の時間期間の終わりの瞬間は、第１の時間期間の終わりの瞬間と同じである。
【０１３９】
特に、第２の時間期間は、第１の時間期間を含み得、第２の時間期間の終わりの瞬間は、第１の時間期間の終わりの瞬間と同じである。具体的には、第１の時間期間の始まりの瞬間は、時間の点で第２の時間期間の始まりの瞬間よりも遅いことがあり（図３を参照されたい）、または第１の時間期間の始まりの瞬間は、第２の時間期間の始まりの瞬間と同じであり得る。
【０１４０】
２３０．  端末は、ターゲット伝送リソース上で伝送対象データパケットを送信する。
【０１４１】
特に、第１の時間期間において、端末は、ターゲット伝送リソース上で伝送対象データパケットを送信し得る。
【０１４２】
任意選択で、実施形態においては、ステップ２１０の前に、この方法は、下記のステップをさらに含む。
【０１４３】
２４０．  端末は、リソースプール内の伝送リソースのリソース利用度を決定する。
【０１４４】
リソース利用度は、第２の時間期間における端末の伝送リソース利用度しきい値を決定するために使用され得、リソース利用度は、第１の時間期間の始まりの瞬間の前の任意の瞬間において端末によって測定され得るということを理解されたい。リソース利用度はまた、第１の時間期間の始まりの瞬間において端末によって測定され得る。本出願のこの実施形態は、リソース利用度の測定時間について特定の制限を設定していない。
【０１４５】
任意選択で、リソース利用度はＣＢＲであり得る。
【０１４６】
特に、端末は、ＰＲＢ上の信号のエネルギー、またはサブチャネル（Ｓｕｂ−ｃｈａｎｎｅｌ）上の信号のエネルギーを検知することによってＣＢＲを決定し得る。１つのサブチャネルは、周波数ドメインにおいて連続している複数のＰＲＢを含み得る。
【０１４７】
任意選択で、ステップ２１０は、端末によって、リソース利用度、およびリソース利用度と伝送リソース利用度しきい値との間におけるマッピング関係に基づいて伝送リソース利用度しきい値を決定することを含み得る。
【０１４８】
特に、端末は、リソース利用度に基づいて伝送リソース利用度しきい値を独立して決定し得る。
【０１４９】
任意選択で、リソース利用度は第１のＣＢＲであり、伝送リソース利用度しきい値は第１のＣＲ限界である。ステップ２１０は、端末によって、第１のＣＢＲ、およびＣＢＲとＣＲ限界との間におけるマッピング関係に基づいて第１のＣＲ限界を決定することをさらに含み得る。
【０１５０】
特に、第１のＣＢＲは、第１の時間期間において常に使用される、および第２の時間期間においてＣＲ限界を決定するために使用されるＣＢＲであり得る。
【０１５１】
第１のＣＢＲは、リソース選択またはリソース再選択の瞬間において端末によって測定されるＣＢＲであり得るということを理解されたい。第１のＣＢＲはまた、リソース選択またはリソース再選択が開始する前の任意の瞬間において端末によって測定されるＣＢＲであり得る。
【０１５２】
ＣＢＲとＣＲ限界との間におけるマッピング関係があるということを理解されたい。別々のＣＢＲが別々のＣＲ限界に対応していることがあり、別々のＣＢＲのうちのいくつかのＣＢＲが１つのＣＲ限界に対応していることがある。本出願は、ＣＢＲとＣＲ限界との間におけるマッピング関係について特定の制限を設定していない。
【０１５３】
別々の端末は、ＣＢＲとＣＲ限界との間における別々のマッピング関係に対応していることがあるということをさらに理解されたい。たとえば、第１の端末に関して、ＣＢＲが０．７である場合に、ＣＲ限界は０．２であり得、第２の端末に関して、ＣＢＲが０．７である場合に、ＣＲ限界は０．２５であり得る。別々の端末は、ＣＢＲとＣＲ限界との間における同じマッピング関係に対応していることもある。たとえば、第１の端末に関して、ＣＢＲが０．７である場合に、ＣＲ限界は０．２であり得、第２の端末に関して、ＣＢＲが０．７である場合に、ＣＲ限界はまた０．２であり得る。これは、本出願のこの実施形態においては特に限定されない。
【０１５４】
任意選択で、ステップ２１０は、端末によって、リソース利用度を基地局へ送信することと、端末によって、基地局によって送信された伝送リソース利用度しきい値を受信することとをさらに含み得る。
【０１５５】
特に、端末は、リソース利用度を基地局へ送信し得、基地局は、リソース利用度に基づいて端末に関する伝送リソース利用度しきい値を構成する。
【０１５６】
任意選択で、リソース利用度はＣＢＲであり、伝送リソース利用度しきい値はＣＲ限界である。ステップ２１０は、端末によって、ＣＢＲを基地局へ送信することと、端末によって、基地局によって送信されたＣＢＲに対応するＣＲ限界を受信することとをさらに含み得、ＣＢＲに対応するＣＲ限界は、ＣＢＲ、およびＣＢＲとＣＲ限界との間におけるマッピング関係に基づいて基地局によって決定される。
【０１５７】
特に、ＣＢＲは、第２の時間期間においてＣＲ限界を決定するために使用されるＣＢＲであり得る。
【０１５８】
任意選択で、伝送対象データパケットは、セミパーシステント伝送ＳＰＴサービスのデータパケットであり、伝送対象データパケットが属するＳＰＴサービスは、少なくとも１つのＳＰＴサービスを含む。
【０１５９】
特に、端末によって伝送されることになるＳＰＴサービスが１つのＳＰＴサービスを含む場合には、第１の時間期間の時間の長さは、そのＳＰＴサービスのデータパケットを伝送するための伝送期間の時間の長さよりも大きい。端末によって伝送されることになるＳＰＴサービスが複数のＳＰＴサービスを含む場合には、第１の時間期間は、複数のＳＰＴサービスのデータパケットを伝送するための複数の伝送期間を含み得る。たとえば、端末によって伝送されることになるＳＰＴサービスは、第１のＳＰＴサービスおよび第２のＳＰＴサービスを含む。このケースにおいては、第１の時間期間は、第１のＳＰＴサービスのデータパケットを伝送するためのすべての伝送期間と、第２のＳＰＴサービスのデータパケットを伝送するための少なくともいくつかの伝送期間とを含み得る。あるいは、第１の時間期間は、第２のＳＰＴサービスのデータパケットを伝送するためのすべての伝送期間と、第１のＳＰＴサービスのデータパケットを伝送するための少なくともいくつかの伝送期間とを含み得る。具体的には、伝送対象ＳＰＴサービスが複数のＳＰＴサービスを含む場合には、第１の時間期間において、複数のＳＰＴサービスの複数のデータパケットを伝送するための伝送リソース利用度の合計は、伝送リソース利用度しきい値以下であり、複数のＳＰＴサービスの複数のデータパケットを伝送することは、伝送リソース利用度しきい値を共有し得る。
【０１６０】
任意選択で、実施形態においては、伝送対象データパケットが属するＳＰＴサービスは、複数のＳＰＴサービスを含み、端末によって、ターゲット伝送リソース上で伝送対象データパケットを送信するステップは、端末によって、複数のＳＰＴサービスのうちの少なくともいくつかのデータパケットをターゲット伝送リソース上で複数のＳＰＴサービスの優先度の降順で送信するステップを含む。
【０１６１】
特に、第１の時間期間において、端末は、複数のＳＰＴサービスのうちの少なくともいくつかのデータパケットをターゲット伝送リソース上で複数のＳＰＴサービスの優先度の降順で送信する。
【０１６２】
たとえば、複数のＳＰＴサービスは、第１のＳＰＴサービス、第２のＳＰＴサービス、および第３のＳＰＴサービスを含む。第１のＳＰＴサービスの優先度は、第２のＳＰＴサービスの優先度と同じであり得、第３のＳＰＴサービスの優先度は、第１のＳＰＴサービスの優先度および第２のＳＰＴサービスの優先度よりも低いことがある。このケースにおいては、端末は、第１のＳＰＴサービスおよび第２のＳＰＴサービスからランダムに選択される１つのＳＰＴサービスを最初に送信し得る。端末が第１のＳＰＴサービスのデータパケットおよび第２のＳＰＴサービスのデータパケットを送信した後に、端末は引き続き、第３のＳＰＴサービスのデータパケットを送信し得る。
【０１６３】
複数のＳＰＴサービスのうちの少なくともいくつかのデータパケットを複数のＳＰＴサービスの優先度の降順で送信するステップは、複数のＳＰＴサービスのデータパケットを複数のＳＰＴサービスの優先度の降順で送信すること、または複数のＳＰＴサービスのうちのいくつかのデータパケットを複数のＳＰＴサービスの優先度の降順で送信することであり得るということを理解されたい。具体的には、端末が複数のＳＰＴサービスのデータパケットをターゲット伝送リソース上で複数のＳＰＴサービスの優先度の降順で送信する際に、端末が複数のＳＰＴサービスのデータパケットを完全に送信するわけではない場合には、データパケットを伝送するための伝送リソースの利用度は、伝送リソース利用度しきい値を超え、端末は、複数のＳＰＴサービスのうちのいくつかのデータパケットを送信し得る。
【０１６４】
たとえば、端末は、ＣＢＲに基づいて、ＣＲ限界（ＣＲ＿ｌｉｍｉｔ）がＣＲ＿ｌｉｍｉｔ  ３であると決定し、端末によって伝送されることになるＳＰＴサービスは、ＳＰＴ１サービスおよびＳＰＴ２サービスを含む。ＳＰＴ１サービスに対応する優先度Ｐ１は、ＳＰＴ２サービスに対応する優先度Ｐ２よりも高い。優先度Ｐ１に対応するＣＲ＿ｌｉｍｉｔは、ＣＲ＿ｌｉｍｉｔ  １であり、優先度Ｐ２に対応するＣＲ＿ｌｉｍｉｔは、ＣＲ＿ｌｉｍｉｔ  ２である。端末は、優先度Ｐ１に対応するＳＰＴ１サービスのデータパケットを最初に伝送し得る。優先度Ｐ１に対応するＳＰＴ１サービスのＣＲ＿ｌｉｍｉｔ  １がＣＲ＿ｌｉｍｉｔ  ３に等しい場合には、端末は、優先度Ｐ２に対応するＳＰＴ２サービスのデータパケットを伝送しない。優先度Ｐ１に対応するＳＰＴ１サービスのＣＲ＿ｌｉｍｉｔ  １がＣＲ＿ｌｉｍｉｔ  ３未満である場合には、端末は、残りの伝送リソース利用度（すなわち、ＣＲ＿ｌｉｍｉｔ  ３−ＣＲ＿ｌｉｍｉｔ  １）を使用して、優先度Ｐ２に対応するＳＰＴ２サービスのデータパケットを伝送することを、ＳＰＴ２サービスのデータパケットを伝送するために使用される伝送リソース利用度がＣＲ＿ｌｉｍｉｔ  ３−ＣＲ＿ｌｉｍｉｔ  １に等しくなるまで行い得る。
【０１６５】
任意選択で、実施形態においては、この方法は、端末によって、複数のＳＰＴサービスのうちで優先度しきい値よりも高い優先度を有するＳＰＴサービスを伝送するために必要とされる伝送リソースの利用度が伝送リソース利用度しきい値よりも高いと決定するステップと、端末によって、要求情報を基地局へ送信するステップであって、要求情報は、複数のＳＰＴサービスのうちで優先度しきい値よりも高い優先度を有するＳＰＴサービスに伝送リソースを割り当てるように基地局に要求するために使用される、ステップとをさらに含む。
【０１６６】
特に、複数のＳＰＴサービスのうちで優先度しきい値よりも高い優先度を有するＳＰＴサービスは、１つのＳＰＴサービスであり得、または複数のＳＰＴサービスであり得る。
【０１６７】
任意選択で、実施形態においては、この方法は、端末によってリソース利用度に基づいて、伝送対象データパケットを伝送するための伝送パラメータを入手するステップをさらに含み、端末によって、ターゲット伝送リソース上で伝送対象データパケットを送信するステップは、端末によって、伝送パラメータを使用することによってターゲット伝送リソース上で伝送対象データパケットを送信するステップを含む。
【０１６８】
特に、第１の時間期間において、端末は、伝送パラメータを使用することによってターゲット伝送リソース上で伝送対象データパケットを送信し得る。
【０１６９】
伝送パラメータは、伝送対象データパケットを伝送するために必要とされる伝送電力、伝送対象データパケットを伝送するためのＭＣＳ、伝送対象データパケットを伝送するために必要とされるＰＲＢの量、伝送対象データパケットを伝送する再伝送時間の量、および伝送対象データパケットを伝送するための伝送期間のうちの少なくとも１つを含む。
【０１７０】
伝送対象データパケットがＳＰＴサービスのデータパケットである場合には、伝送パラメータのうちの伝送期間は、ＳＰＴサービスのデータパケットの伝送期間であり得るということを理解されたい。
【０１７１】
任意選択で、実施形態においては、端末によって、伝送リソース利用度しきい値に基づいてリソースプールからターゲット伝送リソースを選択するステップは、端末によって、伝送リソース利用度しきい値と、伝送対象データパケットを伝送するための伝送パラメータとに基づいてリソースプールからターゲット伝送リソースを選択するステップを含む。
【０１７２】
たとえば、伝送パラメータが、伝送対象データパケットを伝送するためのＰＲＢの量を含む場合には、端末は、伝送リソース利用度しきい値と、伝送対象データパケットを伝送するために必要とされるＰＲＢの量とに基づいてターゲット伝送リソースを選択し得る。別の例に関しては、伝送パラメータが、伝送対象データパケットを伝送するための伝送期間を含む場合には、端末は、伝送リソース利用度しきい値と、伝送対象データパケットを伝送するための伝送期間とに基づいてターゲット伝送リソースを選択し得る。端末は、別の端末によって送信されたＳＡ情報を検知することによって、その別の端末がデータパケットを伝送する伝送期間を決定し得る。端末は、別の端末がデータパケットを伝送する伝送期間と、端末がデータパケットを伝送する伝送期間とに基づいてリソースプールからターゲット伝送リソースを選択し得る。
【０１７３】
任意選択で、第１の時間期間において、リソース利用度は変わるが、端末は、リソースプールから伝送リソースを再選択しない。
【０１７４】
特に、第１の時間期間において、いかにリソース利用度が変わるかにかかわらず、端末は、リソースプールから伝送リソースを再選択するようにトリガーされない。
【０１７５】
前述の内容は、図１から図３を参照しながら本出願の実施形態によるデータパケット伝送方法を詳細に記述している。以降では、図４および図５を参照しながら本出願の実施形態による端末を詳細に記述している。図４および図５において示されている端末は、図２におけるすべてのステップを実施することが可能であるということを理解されたい。繰り返しを避けるために、詳細が再びここで記述されることはない。
【０１７６】
図４は、本出願の実施形態によるデータパケット伝送端末の概略ブロック図である。図４において示されている端末４００は、決定ユニット４１０、選択ユニット４２０、および送信ユニット４３０を含む。
【０１７７】
決定ユニット４１０は、伝送リソース利用度しきい値を決定するように構成されており、伝送リソース利用度しきい値は、プリセット期間においてリソースプール内の伝送リソースを使用することによって伝送対象データパケットを伝送するための最大の伝送リソース利用度を示し、伝送リソース利用度しきい値は、リソースプール内の伝送リソースのリソース利用度によって決定される。
【０１７８】
選択ユニット４２０は、決定ユニットによって決定された伝送リソース利用度しきい値に基づいてリソースプールから第１の時間期間におけるターゲット伝送リソースを、第２の時間期間において端末によって使用されるリソースプール内の伝送リソースの伝送リソース利用度が伝送リソース利用度しきい値以下になるように選択するように構成されており、第２の時間期間は、第１の時間期間を含み、第１の時間期間の時間の長さは、伝送対象データパケットの伝送期間の時間の長さよりも大きい。
【０１７９】
送信ユニット４３０は、選択ユニットによって選択されたターゲット伝送リソース上で伝送対象データパケットを送信するように構成されている。
【０１８０】
任意選択で、実施形態においては、第２の時間期間の時間の長さは、第１の時間期間の時間の長さと同じである。
【０１８１】
任意選択で、実施形態においては、第２の時間期間の終わりの瞬間は、第１の時間期間の終わりの瞬間と同じである。
【０１８２】
任意選択で、実施形態においては、決定ユニットは、第１の時間期間の始まりの瞬間における伝送リソース利用度しきい値を決定するように特に構成されている。
【０１８３】
任意選択で、実施形態においては、第１の時間期間の始まりの瞬間は、端末がリソース選択またはリソース再選択を実行する瞬間である。
【０１８４】
任意選択で、第１の時間期間の始まりの瞬間は、端末のカウンタの値がゼロである瞬間であり、カウンタの値は、プリセット時間期間における伝送対象データパケットの量を示すために使用される。
【０１８５】
さらに、カウンタは、サイドリンクリソース再選択カウンタ（Ｓｉｄｅｌｉｎｋ  ｒｅｓｏｕｒｃｅ  ｒｅｓｅｌｅｃｔｉｏｎ  ｃｏｕｎｔｅｒ）に相当する。
【０１８６】
任意選択で、実施形態においては、第１の時間期間の始まりの瞬間は、伝送対象データパケットが端末の論理チャネルにマップされる瞬間である。
【０１８７】
任意選択で、実施形態においては、伝送対象データパケットは、セミパーシステント伝送ＳＰＴサービスのデータパケットであり、伝送対象データパケットが属するＳＰＴサービスは、少なくとも１つのＳＰＴサービスを含む。
【０１８８】
任意選択で、実施形態においては、伝送対象データパケットが属するＳＰＴサービスは、複数のＳＰＴサービスを含み、送信ユニットは、複数のＳＰＴサービスのうちの少なくともいくつかのデータパケットをターゲット伝送リソース上で複数のＳＰＴサービスの優先度の降順で送信するように特に構成されている。
【０１８９】
任意選択で、実施形態においては、伝送対象データパケットが属するＳＰＴサービスは、複数のＳＰＴサービスを含み、決定ユニットは、複数のＳＰＴサービスのうちで優先度しきい値よりも高い優先度を有するＳＰＴサービスを伝送するために必要とされる伝送リソースの利用度が伝送リソース利用度しきい値よりも高いと決定するようにさらに構成されており、送信ユニットは、要求情報を基地局へ送信するようにさらに構成されており、要求情報は、複数のＳＰＴサービスのうちで優先度しきい値よりも高い優先度を有するＳＰＴサービスに伝送リソースを割り当てるように基地局に要求するために使用される。
【０１９０】
任意選択で、実施形態においては、端末は、リソース利用度に基づいて、伝送対象データパケットを伝送するための伝送パラメータを入手するように構成されている入手ユニットをさらに含み、送信ユニットは、伝送パラメータを使用することによってターゲット伝送リソース上で伝送対象データパケットを送信するように特に構成されている。
【０１９１】
任意選択で、実施形態においては、選択ユニットは、伝送リソース利用度しきい値と、伝送対象データパケットを伝送するための伝送パラメータとに基づいてリソースプールから第１の時間期間におけるターゲット伝送リソースを選択するように特に構成されている。
【０１９２】
任意選択で、実施形態においては、入手ユニットは、リソース利用度、およびリソース利用度と伝送リソース利用度しきい値との間におけるマッピング関係に基づいて伝送リソース利用度しきい値を決定するように特に構成されている。
【０１９３】
任意選択で、実施形態においては、入手ユニットは、リソース利用度を基地局へ送信し、基地局によって送信された伝送リソース利用度しきい値を受信するように特に構成されている。
【０１９４】
任意選択で、実施形態においては、第１の時間期間において、リソース利用度は変わるが、端末は、リソースプールから伝送リソースを再選択しない。
【０１９５】
任意選択の実施形態においては、決定ユニット４１０および選択ユニット４２０は、プロセッサ５２０であり得、送信ユニット４３０は、通信インターフェース５４０であり得、端末デバイスは、入力／出力インターフェース５３０およびメモリ５１０をさらに含み得る。詳細は、図５において示されている。
【０１９６】
図５は、本出願の別の実施形態による端末の概略ブロック図である。図５において示されている端末５００は、メモリ５１０、プロセッサ５２０、入力／出力インターフェース５３０、および通信インターフェース５４０を含み得る。メモリ５１０、プロセッサ５２０、入力／出力インターフェース５３０、および通信インターフェース５４０は、内部接続チャネルを使用することによって接続されている。メモリ５１０は、命令を格納するように構成されている。プロセッサ５２０は、メモリ５１０内に格納されている命令を実行して、入力されたデータおよび情報を受け取ってオペレーション結果などのデータを出力するように入力／出力インターフェース５３０を制御し、信号を送信するように通信インターフェース５４０を制御するように構成されている。
【０１９７】
プロセッサ５２０は、伝送リソース利用度しきい値を決定することであって、伝送リソース利用度しきい値は、プリセット時間期間においてリソースプール内の伝送リソースを使用することによって伝送対象データパケットを伝送するための最大の伝送リソース利用度を示し、伝送リソース利用度しきい値は、リソースプール内の伝送リソースのリソース利用度によって決定される、決定することと、伝送リソース利用度しきい値に基づいてリソースプールから第１の時間期間におけるターゲット伝送リソースを、第２の時間期間において端末によって使用されるリソースプール内の伝送リソースの伝送リソース利用度が伝送リソース利用度しきい値以下になるように選択することであって、第２の時間期間は、第１の時間期間を含み、第１の時間期間の時間の長さは、伝送対象データパケットの伝送期間の時間の長さよりも大きい、選択することとを行うように構成されている。
【０１９８】
通信インターフェース５４０は、ターゲット伝送リソース上で伝送対象データパケットを送信するように構成されている。
【０１９９】
本出願のこの実施形態においては、プロセッサ５２０は、汎用中央処理装置（Ｃｅｎｔｒａｌ  Ｐｒｏｃｅｓｓｉｎｇ  Ｕｎｉｔ、ＣＰＵ）、マイクロプロセッサ、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または１つもしくは複数の集積回路であり得、関連したプログラムを実行して、本出願の実施形態において提供されている技術的なソリューションを実施するように構成されているということを理解されたい。
【０２００】
通信インターフェース５４０は、限定ではなく例として、端末５００と別のデバイスまたは通信ネットワークとの間における通信を実施するためにトランシーバなどのトランシーバ装置を使用するということをさらに理解されたい。
【０２０１】
メモリ５１０は、読み取り専用メモリおよびランダムアクセスメモリを含み、命令およびデータをプロセッサ５２０に提供し得る。プロセッサ５２０の一部は、不揮発性ランダムアクセスメモリをさらに含み得る。たとえば、プロセッサ５２０は、デバイスタイプに関する情報をさらに格納し得る。
【０２０２】
実施プロセスにおいては、前述の方法のステップは、プロセッサ５２０内のハードウェア集積論理回路を使用することによって、またはソフトウェアの形態の命令を使用することによって実施され得る。本出願の実施形態を参照しながら開示されているデータパケット伝送方法は、ハードウェアプロセッサによって直接実行され得、またはプロセッサ内のハードウェアとソフトウェアモジュールとの組合せを使用することによって実行され得る。ソフトウェアモジュールは、ランダムアクセスメモリ、フラッシュメモリ、読み取り専用メモリ、プログラム可能読み取り専用メモリ、電気的消去可能プログラム可能メモリ、またはレジスタなど、当技術分野における成熟したストレージメディアに配置され得る。ストレージメディアは、メモリ５１０内に配置され、プロセッサ５２０は、メモリ５１０内の情報を読み取り、プロセッサのハードウェアとの組合せで前述の方法のステップを完遂する。繰り返しを避けるために、詳細が再びここで記述されることはない。
【０２０３】
本出願の実施形態においては、端末は、第１の時間期間において伝送リソース利用度しきい値を使用することによってターゲット伝送リソースを選択し得る。具体的には、端末は、期間としてデータパケットの伝送期間を使用してリソース利用度を定期的に測定することを必要としなくてよく、それによって、端末がデータパケットのそれぞれの伝送期間におけるリソース利用度を測定することを必要とするという従来技術における問題を回避し、輻輳制御メカニズムにおいて端末がターゲット伝送リソースを決定するオペレーション手順を簡略化する。
【０２０４】
本出願の実施形態においては、「Ａに対応するＢ」は、ＢがＡに関連付けられていて、ＢがＡに基づいて決定され得るということを示しているということを理解されたい。しかしながら、Ａに基づいてＢを決定することは、ＢがＡのみに基づいて決定されるということを意味するわけではなく、Ｂは、Ａおよび／またはその他の情報に基づいても決定され得るということをさらに理解されたい。
【０２０５】
本明細書における「および／または」という用語は、関連付けられているオブジェクトどうしを記述するための関連付け関係のみを記述しており、３つの関係が存在し得るということを表しているということを理解されたい。たとえば、「Ａおよび／またはＢ」は、「Ａのみが存在する」、「ＡおよびＢの両方が存在する」、ならびに「Ｂのみが存在する」という３つのケースを表し得る。加えて、本明細書における「／」という文字は一般に、関連付けられているオブジェクトどうしの間における「または」という関係を示している。
【０２０６】
前述のプロセスのシーケンス番号は、本出願のさまざまな実施形態における実行シーケンスを意味するわけではないということを理解されたい。プロセスどうしの実行シーケンスは、プロセスの機能および内部ロジックに基づいて決定されるべきであり、本出願の実施形態の実施プロセスに対する何らかの限定と解釈されるべきではない。
【０２０７】
本出願において提供されているいくつかの実施形態においては、開示されているシステム、装置、および方法がその他の様式で実施され得るということを理解されたい。たとえば、記述されている装置実施形態は、例にすぎない。たとえば、ユニットの区分は、論理的な機能区分にすぎず、実際の実施においてはその他の区分であってもよい。たとえば、複数のユニットもしくはコンポーネントが組み合わされてもしくは統合されて別のシステムになってもよく、またはいくつかの機能が無視されてもよく、もしくは実行されなくてもよい。加えて、表示されているまたは論じられている相互の結合または直接の結合または通信接続は、いくつかのインターフェースを使用することによって実施され得る。装置どうしまたはユニットどうしの間における間接的な結合または通信接続は、電子的な形態、機械的な形態、またはその他の形態で実施され得る。
【０２０８】
別々の部分として記述されているユニットどうしは、物理的に別々であってもよく、または物理的に別々でなくてもよく、ユニットとして表示されている部分は、物理的なユニットであってもよく、または物理的なユニットでなくてもよく、１つの位置に配置されてもよく、または複数のネットワークユニット上に分散されてもよい。ユニットのうちのいくつかまたはすべては、実施形態のソリューションの目的を達成するために実際の必要性に基づいて選択され得る。
【０２０９】
加えて、本出願の実施形態における機能ユニットどうしが統合されて１つの処理ユニットになってもよく、またはそれらのユニットのそれぞれが物理的に単独で存在してもよく、または２つ以上のユニットが統合されて１つのユニットになる。
【０２１０】
機能がソフトウェア機能ユニットの形態で実装されて、独立した製品として販売または使用される場合には、それらの機能は、コンピュータ可読ストレージメディア内に格納され得る。そのような理解に基づいて、本質的に本出願の技術的なソリューション、または従来技術に貢献する部分、またはそれらの技術的なソリューションのいくつかが、ソフトウェア製品の形態で実装され得る。そのコンピュータソフトウェア製品は、ストレージメディア内に格納され、本出願の実施形態において記述されている方法のステップのうちのすべてまたはいくつかを実行するようにコンピュータデバイス（パーソナルコンピュータ、サーバ、もしくはネットワークデバイスであり得る）に指示するためのいくつかの命令を含む。前述のストレージメディアは、ＵＳＢフラッシュドライブ、取り外し可能なハードディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなど、プログラムコードを格納することができる任意のメディアを含む。
【国際調査報告】
2020506590.tif 000008
2020506590.tif 000009
2020506590.tif 000010
2020506590.tif 000011